(57)【要約】  データ（５０２）を無線送信するための技術が記述されている。この技術の方法態様については、受信機へ送信されることになるデータ（５０２）が、少なくとも２つの部分的な変調シンボル（５１４）によって表される。少なくとも２つの部分的な変調シンボル（５１４）のそれぞれは、受信機への無線送信の別々のレイヤ（５００）に関連付けられている。関連付けられているレイヤに従って別々の出力レベルで少なくとも２つの部分的な変調シンボル（５１４）を組み合わせること（５１６）によって、変調シンボル（５１８）が生成される。変調シンボル（５１８）は、受信機へ送信される。【選択図】図５
2021520716.tif 000002
【特許請求の範囲】
【請求項１】
データ（５０２）を無線送信する方法（３００）であって、
少なくとも２つの部分的な変調シンボル（５１４）によって、受信機へ送信されることになるデータ（５０２）を表すステップ（３０２）であって、部分的な変調シンボル（５１４）が各々、前記受信機への前記無線送信の別々のレイヤ（５００）に関連付けられている、データ（５０２）を表すステップ（３０２）と、
前記関連付けられているレイヤに従って別々の出力レベルで前記少なくとも２つの部分的な変調シンボル（５１４）を組み合わせること（５１６）によって変調シンボル（５１８）を生成するステップ（３０４）と、
前記変調シンボル（５１８）を前記受信機へ送信するステップ（３０６）とを含む、または開始する、方法（３００）。
【請求項２】
前記それぞれの少なくとも２つの部分的な変調シンボル（５１４）によって表されている前記データ（５０２）の前記少なくとも２つの部分（５０６）のすべてが、前記受信機にそれぞれ宛てられている１つまたは複数のデータパケットに属する、請求項１に記載の方法。
【請求項３】
前記少なくとも２つの部分的な変調シンボル（５１４）、または前記それぞれの少なくとも２つの部分的な変調シンボル（５１４）によって表されている前記データの前記少なくとも２つの部分（５０６）が非冗長である、請求項１または２に記載の方法。
【請求項４】
前記無線送信（３０６）の前記それぞれのレイヤ（５００）に対応する前記データ（５０２）の前記部分（５０６）が、コードワード（５１０）へと独立して符号化され（５０８）、前記２つ以上の部分的な変調シンボル（５１４）のそれぞれが、変調方式（５１２）に従って前記それぞれのコードワード（５１０）から生じる、請求項１から３のいずれか一項に記載の方法。
【請求項５】
前記レイヤ（５００）の数、前記変調方式（５１２）、および前記符号化すること（５０８）のうちの少なくとも１つが、前記受信機への前記無線送信（３０６）に関するチャネル状況に依存する、請求項１から４のいずれか一項に記載の方法。
【請求項６】
前記変調方式（５１２）が、位相シフトキーイング（ＰＳＫ）および振幅シフトキーイング（ＡＳＫ）のうちの少なくとも１つを、任意選択で、直交位相シフトキーイング（ＱＰＳＫ）または直交振幅変調（ＱＡＭ）を含む、請求項４または５に記載の方法。
【請求項７】
前記同じ変調方式（５１２）が、前記変調シンボル（５１８）を生成するために組み合わせられる（５１６）前記部分的な変調シンボル（５１４）のうちの少なくとも２つのために使用される、請求項４から６のいずれか一項に記載の方法。
【請求項８】
前記変調シンボル（５１８）を生成するために組み合わせられる（５１６）前記少なくとも２つの部分的な変調シンボル（５１４）が、別々の変調方式（５１２）を使用する、請求項４から７のいずれか一項に記載の方法。
【請求項９】
前記少なくとも２つの部分的な変調シンボルのそれぞれが、前記データの前記それぞれの部分を表す位相および振幅のうちの少なくとも１つを含む、請求項１から８のいずれか一項に記載の方法。
【請求項１０】
前記組み合わせることが、前記それぞれの出力レベルに従って前記部分的な変調シンボルの前記振幅を決定または増減することを含む、請求項９に記載の方法。
【請求項１１】
前記レイヤが、前記それぞれの出力レベルに従って順序付けられ、連続したレイヤのそれぞれのペアの前記振幅が、２以上の係数によって増減され、および／または連続したレイヤのそれぞれのペアの前記出力レベルが、３ｄＢ以上異なる、請求項１から１０のいずれか一項に記載の方法。
【請求項１２】
前記無線送信（３０６）が、雑音および干渉のうちの少なくとも１つにさらされているチャネルを使用し、前記雑音および前記干渉のうちの少なくとも１つの出力が、前記変調シンボルの持続時間にわたって前記別々の出力レベルのうちの最小の出力レベル以上変化する、請求項１から１１のいずれか一項に記載の方法。
【請求項１３】
前記無線送信（３０６）が、雑音および干渉のうちの少なくとも１つにさらされているチャネルを使用し、前記受信機において前記チャネルを測定するために、ならびに適応符号化および／または変調のために前記受信機から前記測定に基づくチャネルフィードバックを受信するために必要とされる時間間隔内で前記雑音および前記干渉のうちの少なくとも１つの出力が前記別々の出力レベルのうちの前記最小の出力レベル以上変化する、請求項１から１２のいずれか一項に記載の方法。
【請求項１４】
前記無線送信（３０６）が、雑音および干渉のうちの少なくとも１つにさらされているチャネルを使用し、前記データがデータパケットに属し、後に送信されるデータパケット間における時間間隔内で前記雑音および前記干渉のうちの少なくとも１つの出力が前記別々の出力レベルのうちの前記最小の出力レベル以上変化する、請求項１から１３のいずれか一項に記載の方法。
【請求項１５】
前記送信（３０６）が、雑音および干渉のうちの少なくとも１つにさらされているチャネルを使用し、前記方法（３００）がさらに、
レイヤの前記数および前記別々の出力レベルのうちの少なくとも１つを決定するステップであって、前記別々の出力レベルのうちの前記最小の出力レベルが、前記雑音および前記干渉のうちの少なくとも１つの前記出力の２倍である、前記出力に等しい、または前記出力未満である、レイヤの前記数および前記別々の出力レベルのうちの少なくとも１つを決定するステップを含む、または開始する、請求項１から１４のいずれか一項に記載の方法。
【請求項１６】
前記組み合わせること（５１６）が、前記それぞれのレイヤに従って前記それぞれの出力レベルで前記少なくとも２つの部分的な変調シンボルをコヒーレントに足し合わせることを含む、請求項１から１５のいずれか一項に記載の方法。
【請求項１７】
前記送信された変調シンボル（５１８）に基づいて、復号に成功した部分的な変調シンボル（５１４）の数を示す肯定応答フィードバックを受信することであって、前記数が、最も高い出力レベルの前記部分的な変調シンボル（５１４）から開始して、出力レベルの降順に、前記復号に成功した部分的な変調シンボル（５１４）のうちの前記最小の出力レベルの前記部分的な変調シンボル（５１４）までカウントされている、肯定応答フィードバックを受信すること
をさらに含む、または開始する、請求項１から１６のいずれか一項に記載の方法。
【請求項１８】
前記データ（５０２）が、第１の受信機および第２の受信機へ送信され（３０６）、前記第１の受信機からの前記肯定応答フィードバックが、復号に成功した部分的な変調シンボル（５１４）の第１の数を示し、前記第２の受信機からの前記肯定応答フィードバックが、前記第１の数とは異なる復号に成功した部分的な変調シンボル（５１４）の第２の数を示す、請求項１７に記載の方法。
【請求項１９】
第２の部分的な変調シンボル（５１４）よりも大きな出力レベルで送信される第１の部分的な変調シンボル（５１４）が、前記第２の部分的な変調シンボル（５１４）によって表されている前記データ（５０２）の第２の部分（５０６）よりも高い優先度またはサービス品質（ＱｏＳ）に関連付けられている前記データ（５０２）の第１の部分（５０６）を表す、請求項１から１８のいずれか一項に記載の方法。
【請求項２０】
前記以前に送信された（３０６）変調シンボル（５１８）によって表されている前記データ（５０２）の部分（５０６）の再送信を含むさらなる変調シンボルを送信するステップであって、前記再送信される部分（５０６）が、前記以前に送信された（３０６）変調シンボル（５１８）における前記データ（５０２）の前記再送信される部分（５０６）を表す前記部分的な変調シンボル（５１４）よりも大きな出力レベルを有する前記さらなる変調シンボルにおける部分的な変調シンボルによって表されている、さらなる変調シンボルを送信するステップ
をさらに含む、または開始する、請求項１から１９のいずれか一項に記載の方法。
【請求項２１】
データ（５０２）を無線受信する方法（４００）であって、
別々の出力レベルでの少なくとも２つの部分的な変調シンボル（５１４）の組合せである変調シンボル（５１８）を受信するステップ（４０２）と、
前記受信された変調シンボル（５１８）に基づいて、部分的な変調シンボル（５１４）を復調し（４０４）、前記復調された部分的な変調シンボル（５１４）を前記受信された変調シンボル（５１８）から差し引いて、残余変調シンボルを得るステップと、
前記データ（５０２）を表す前記少なくとも２つの部分的な変調シンボルを復調する（４０４）ために前記残余変調シンボルに基づいて前記復調を繰り返すステップ（４０６）とを含む、方法（４００）。
【請求項２２】
前記復調された部分的な変調シンボル（５１４）の前記復調（４０４）またはデコーディングが失敗するまで、出力レベルの降順で前記復調（４０４）が繰り返される、請求項２１に記載の方法。
【請求項２３】
前記部分的な変調シンボル（５１４）のうちの少なくとも２つが、別々の出力レベルで適用される前記同じ変調方式（５１２）に対応する、請求項２１または２２に記載の方法。
【請求項２４】
前記受信された変調シンボル（５１８）の送信機へ肯定応答フィードバックを送信するステップであって、前記肯定応答フィードバックが、前記受信された変調シンボル（５１８）に基づいて、復号に成功した部分的な変調シンボル（５１４）の数を示し、前記数が、前記最も高い出力レベルの前記部分的な変調シンボル（５１４）から開始して、出力レベルの降順に、前記復号に成功した部分的な変調シンボル（５１４）のうちの前記最小の出力レベルの前記部分的な変調シンボル（５１４）までカウントされている、肯定応答フィードバックを送信するステップ
をさらに含む、または開始する、請求項２１から２３のいずれか一項に記載の方法。
【請求項２５】
請求項１から２０のいずれか一項に記載のステップ、またはそれらに対応するステップをさらに含む、または開始する、請求項２１から２４のいずれか一項に記載の方法。
【請求項２６】
プログラムコード部分を含むコンピュータプログラム製品であって、前記プログラムコード部分が、１つまたは複数のコンピューティングデバイス（１８０４、１９０４）上で前記コンピュータプログラム製品が実行されたときに請求項１から２５のいずれか一項に記載のステップを実行するためのものであり、前記コンピュータプログラム製品が、コンピュータ可読記録メディア（１８０６、１９０６）上に任意選択で格納される、コンピュータプログラム製品。
【請求項２７】
データ（５０２）を無線送信するためのデバイス（１００）であって、
少なくとも２つの部分的な変調シンボル（５１４）によって、受信機へ送信されることになるデータ（５０２）を表すように設定されている表示ユニット（１０２）であって、部分的な変調シンボル（５１４）が各々、前記受信機への前記無線送信の別々のレイヤ（５００）に関連付けられている、表示ユニット（１０２）と、
前記関連付けられているレイヤに従って別々の出力レベルで前記少なくとも２つの部分的な変調シンボル（５１４）を組み合わせること（５１６）によって変調シンボル（５１８）を生成するように設定されている生成ユニット（１０４）と、
前記変調シンボル（５１８）を前記受信機へ送信するように設定されている送信ユニット（１０６）とを含むデバイス（１００）。
【請求項２８】
請求項１から２０のいずれか一項に記載のステップを実行するようにさらに設定されている、請求項２７に記載のデバイス（１００）。
【請求項２９】
データ（５０２）を無線受信するためのデバイス（２００）であって、
別々の出力レベルでの少なくとも２つの部分的な変調シンボル（５１４）の組合せである変調シンボル（５１８）を受信するように設定されている受信ユニット（２０２）と、
前記受信された変調シンボル（５１８）に基づいて、部分的な変調シンボル（５１４）を復調し、前記復調された部分的な変調シンボル（５１４）を前記受信された変調シンボル（５１８）から差し引いて、残余変調シンボルを得るように設定されている復調ユニット（２０４）と、
前記データ（５０２）を表す前記少なくとも２つの部分的な変調シンボルを復調するために前記残余変調シンボルに基づいて前記復調を繰り返すように設定されている繰り返しユニット（２０６）とを含むデバイス（２００）。
【請求項３０】
請求項２１から２５のいずれか一項に記載のステップを実行するようにさらに設定されている、請求項２９に記載の第２の無線デバイス（２００）。
【請求項３１】
データ（５０２）を無線送信するためのデバイス（１００）であって、少なくとも１つのプロセッサ（１８０４）およびメモリ（１８０６）を含み、前記メモリ（１８０６）が、前記少なくとも１つのプロセッサ（１８０４）によって実行可能な命令を含み、前記命令によって前記デバイス（１００）が、
少なくとも２つの部分的な変調シンボル（５１４）によって、受信機へ送信されることになるデータ（５０２）を表すことであって、部分的な変調シンボル（５１４）が各々、前記受信機への前記無線送信の別々のレイヤ（５００）に関連付けられている、データ（５０２）を表すことと、
前記関連付けられているレイヤに従って別々の出力レベルで前記少なくとも２つの部分的な変調シンボル（５１４）を組み合わせること（５１６）によって変調シンボル（５１８）を生成することと、
前記変調シンボル（５１８）を前記受信機へ送信することとを行うように動作するデバイス（１００）。
【請求項３２】
請求項１から２０のいずれか一項に記載のステップを実行するようにさらに動作する、請求項３１に記載のデバイス（１００）。
【請求項３３】
データ（５０２）を無線受信するためのデバイス（２００）であって、少なくとも１つのプロセッサ（１９０４）およびメモリ（１９０６）を含み、前記メモリ（１９０６）が、前記少なくとも１つのプロセッサ（１９０４）によって実行可能な命令を含み、前記命令によって前記デバイス（２００）が、
別々の出力レベルでの少なくとも２つの部分的な変調シンボル（５１４）の組合せである変調シンボル（５１８）を受信することと、
前記受信された変調シンボル（５１８）に基づいて、部分的な変調シンボル（５１４）を復調し、前記復調された部分的な変調シンボル（５１４）を前記受信された変調シンボル（５１８）から差し引いて、残余変調シンボルを得ることと、
前記データ（５０２）を表す前記少なくとも２つの部分的な変調シンボルを復調するために前記残余変調シンボルに基づいて前記復調を繰り返すこととを行うように動作するデバイス（２００）。
【請求項３４】
請求項２１から２５のいずれか一項に記載のステップを実行するようにさらに動作する、請求項３３に記載のデバイス（２００）。
【請求項３５】
ユーザ機器（ＵＥ）と通信するように設定されている基地局（１００、２００、２０１２、２１２０）であって、請求項１から２０または２１から２５のいずれか一項に記載のステップを実行するように設定されている無線インターフェースおよび処理回路を含む基地局（１００、２００、２０１２、２１２０）。
【請求項３６】
ゲートウェイとして機能する基地局（１００、２００、２０１２、２１２０）または無線デバイスと通信するように設定されているユーザ機器（ＵＥ）（１００、２００、１８００、１９００、２０９１、２０９２、２１３０）であって、請求項１から２０または２１から２５のいずれか一項に記載のステップを実行するように設定されている無線インターフェース（１８０２、１９０２、２１２７、２１３７）および処理回路（１８０４、１９０４、２１３８）を含むＵＥ（１００、２００、１８００、１９００、２０９１、２０９２、２１３０）。
【請求項３７】
ユーザデータを提供するように設定されている処理回路（２１１８）と、
ユーザ機器（ＵＥ）（１００、２００、１８００、１９００、２０９１、２０９２、２１３０）への送信のためにユーザデータをセルラまたはアドホック無線ネットワーク（１０００、１１００、２１２０）へ転送するように設定されている通信インターフェース（２１１６）であって、前記ＵＥ（１００、２００、１８００、１９００、２０９１、２０９２、２１３０）が、無線インターフェース（１８０２、１９０２、２１３７）および処理回路（１８０４、１９０４、２１３８）を含み、前記ＵＥ（１００、２００、１８００、１９００、２０９１、２０９２、２１３０）の前記処理回路（１８０４、１９０４、２１３８）が、請求項１から２０または２１から２５のいずれか一項に記載のステップを実行するように設定されている、通信インターフェース（２１１６）と
を含むホストコンピュータ（２０３０、２１１０）を含む通信システム（２０００、２１００）。
【請求項３８】
前記ＵＥ（１００、２００、１８００、１９００、２０９１、２０９２、２１３０）をさらに含む、請求項３７に記載の通信システム（２０００、２１００）。
【請求項３９】
前記無線ネットワーク（１０００、１１００、２１２０）がさらに、前記ＵＥ（１００、２００、１８００、１９００、２０９１、２０９２、２１３０）と通信するように設定されているゲートウェイとして機能する基地局（１００、２００、２０１２、２１２０）または無線デバイス（１００、２００）を含む、請求項３７または３８に記載の通信システム（２０００、２１００）。
【請求項４０】
前記ホストコンピュータ（２０３０、２１１０）の前記処理回路（２１１８）が、ホストアプリケーション（２１１２）を実行し、それによって前記ユーザデータを提供するように設定されており、
前記ＵＥ（１００、２００、１８００、１９００、２０９１、２０９２、２１３０）の前記処理回路（１８０４、１９０４、２１３８）が、前記ホストアプリケーション（２１１２）に関連付けられているクライアントアプリケーション（２１３２）を実行するように設定されている、
請求項３７から３９のいずれか一項に記載の通信システム（２０００、２１００）。
【発明の詳細な説明】
【技術分野】
【０００１】
本開示は、無線送信技術に関する。より詳細には、それに限定されないが、変化するチャネル状況のもとで受信機へデータを送信するための方法およびデバイスが提供される。
【背景技術】
【０００２】
いくつかのセルラ無線アクセステクノロジー（ＲＡＴ）を含むデジタル無線通信は、共有電波スペクトルを使用することが可能である。共有電波スペクトルに関する例は、２．４５ＧＨｚ帯域（産業科学医療用無線帯域またはＩＳＭ帯域とも呼ばれる）および５ＧＨｚ帯域などのライセンス供与されていない帯域を含む。第３世代パートナーシッププロジェクト（３ＧＰＰ）によるＬｏｎｇ−Ｔｅｒｍ  Ｅｖｏｌｕｔｉｏｎ（ＬＴＥ）ライセンス支援型アクセス（ＬＡＡ）は、少なくとも部分的にライセンス供与されていない帯域を使用するセルラＲＡＴに関する例である。
【０００３】
共有電波スペクトル上での、特に、特定のＲＡＴを使用する別々の無線デバイスの間での、ならびに別々のＲＡＴを使用する無線デバイス間での共存のために、何らかの共存メカニズムが採用されている。一般に使用されている共存メカニズムは、搬送波感知多重アクセス／衝突回避方式（ＣＳＭＡ／ＣＡ）であり、これは、リッスンビフォアトーク（ＬＢＴ）プロセスに基づいている。事実上、無線送信のために共有電波スペクトルを利用することを意図している無線デバイスは、使用されることになるチャネルを感知し、そのチャネルがビジーである（すなわち、使用中である、もしくは占有されている）か、またはアイドルである（すなわち、使用されていない、もしくは占有されていない）かを決定する。チャネルがビジーであると決定された場合には、無線送信は延期され、その一方でチャネルがアイドルであると決定された場合には、送信が開始される。したがってＣＳＭＡ／ＣＡは、チャネルがまだ使用されていない場合にのみ送信を開始することによって、特定の衝突を回避する。
【０００４】
このチャネルアクセスメカニズムは、共有電波スペクトル上での衝突の量を制限するが、多くの状況においてあまりうまく機能しない。具体的には、ＬＢＴプロセスは、送信を開始することを意図している無線デバイス（簡潔に言えば、送信機）によって実行されるが、受信のために意図されている無線デバイス（簡潔に言えば、受信機）における干渉状況は、大部分は知られていない場合がある。
【０００５】
受信機における変化するチャネル状況を送信機に示すために、受信機からのチャネルフィードバックのさまざまな実装形態が知られている。たとえば、十分に低い誤り確率を達成し、そして同時に、できるだけ高いデータレートを提供するＭＣＳを選択する目的で、以前に送信されたデータパケットのエラー統計に基づいてデータ送信の変調符号化方式（ＭＣＳ）を調整することによって、標準ファミリＩＥＥＥ８０２．１１（Ｗｉ−Ｆｉ）に従ってリンクパフォーマンスが最適化されることが可能である。これは、リンク適合（ＬＡ）の一例であり、リンク適合（ＬＡ）は一般に、自動再送要求（ＡＲＱ）に関する肯定応答（ＡＣＫ）または否定応答（ＮＡＣＫ）などの暗黙的なフィードバックに依存する。なぜなら、受信機は、自分が経験しているチャネル状況に関する明示的な情報を提供しないからである。３ＧＰＰによるセルラＲＡＴにおいてしばしば使用される代替例として、受信機は、明示的なフィードバックを提供する。その明示的なフィードバックは、干渉レベルに関する情報、または使用するべき適切なＭＣＳに関する明示的な提案を含むことが可能である。しかしながらフィードバックは、暗黙的であるか、または明示的であるかにかかわらず、有用であるためには、来たる送信に関するチャネル状況の予測を可能にしなければならない。チャネル状況が、たとえば高度に変化する干渉状況に基づいて、急速に変化する場合には、以前の送信に関するいかなるチャネルフィードバックも、本質的に役に立たない可能性がある。
【０００６】
Ｌ．ＷｉｌｈｅｌｍｓｓｏｎおよびＪ．Ｐｅｒｓｓｏｎは、現在のチャネルフィードバックスキームの短所に対処するための否定応答フィードバック（ＮＡＣＫ）の理由の明示的な指示についてＷＯ２０１５／０３２４４０という文書において記述している。デコーディング障害の理由は、たとえばその障害が主として雑音または干渉に起因していたかどうかなど、送信機へ明示的に送られる。これは、送信機が受信機状況をよりよく予測することを可能にする。しかしながら、たとえこのようにしてより適切なＭＣＳが選択されることが可能であっても、その選択は依然として、瞬間的なチャネル状況というよりもむしろ長期的な統計に基づいている。
【０００７】
変化するチャネル状況のもとで効果的である既存の技術は、増分冗長性再送信を伴うハイブリッドＡＲＱ（ＨＡＲＱ）送信である。受信機状況が悪いである場合には、少なくともいくつかの情報が受信機側において抽出されることが可能であり、次いでパケットが復号に成功されていない限り、再送信が要求されることが可能である。ＨＡＲＱ送信の欠点は、デコーディングの点と、受信機におけるメモリ要件の点との両方において、複雑さが増すことである。さらに別の欠点は、特に複数の再送信が必要とされる場合には、レイテンシが増大することであり、共有スペクトル上で送信を行うことが可能となるように送信機がチャネルに関して競合する必要がある場合には、潜在的にいっそう問題となる。
【０００８】
たとえば、直接のサイドリンクまたは基地局接続を使用する車両無線通信は、急速に変化するチャネル状況のもとでレイテンシが低い場合には、事故を能動的に回避すること、およびトラフィック効率を改善することが可能である。
【発明の概要】
【０００９】
したがって、変化するチャネル状況のもとでレイテンシを低減し、信頼性を増大させ、および／またはスループットを増大させる無線通信技術に対する必要性がある。代替として、または追加として、受信機における干渉レベルが送信機における経験されている干渉レベルに基づいて非常に推定し難いということによって引き起こされる問題を回避または緩和する無線通信技術に対する必要性がある。
【００１０】
第１の方法態様については、データを無線送信する方法が提供される。この方法は、少なくとも２つの部分的な変調シンボルによって、受信機へ送信されることになるデータを表すステップを含むことまたは開始することが可能である。少なくとも２つの部分的な変調シンボルのそれぞれは、受信機への無線送信の別々のレイヤに関連付けられることが可能である。この方法はさらに、関連付けられているレイヤに従って別々の出力レベルで少なくとも２つの部分的な変調シンボルを組み合わせることによって変調シンボルを生成するステップを含むことまたは開始することが可能である。この方法はさらに、変調シンボルを受信機へ送信するステップを含むことまたは開始することが可能である。
【００１１】
本技術は、たとえば、現在のチャネル状況および／または現在の受信機状況（まとめて、状況）が送信機において知られていない場合にデータパケットを無線送信する方法として実施されることが可能である。状況は、送信するステップにおいて、および／またはデータパケットをフォーマットする際に、知られていない場合がある。
【００１２】
本明細書においては、「レベル」という表現は、対数目盛上の、たとえば、デシベル（ｄＢ）などの相対的な単位、またはｄＢｍ（すなわち、１ミリワットに対するｄＢ）などの絶対的な単位での出力を指すことが可能である。
【００１３】
本技術は、変調シンボルを生成するステップにおいて階層変調を使用して実施されることが可能である。たとえば、整数インデックス、たとえば、ｉ＝０，１，．．．，ｎ−１、または１，２，．．．，ｎによって別々のレイヤを指すと、それぞれのレイヤに関連付けられている出力は、インデックスの減少する指数関数に対応することが可能であり、たとえば、出力は、何らかの定数ｃまたはｃ’を伴ってｅｘｐ（−ｉ・ｃ）または２−（ｉ・ｃ’）に比例することが可能である。言い換えれば、整数インデックス、ｉによって別々のレイヤを指すと、それぞれのレイヤに関連付けられている出力レベルは、インデックスの減少する線形関数に対応することが可能であり、たとえば、出力レベルは、最大の出力レベルに対して、何らかの定数Ｃを伴って−ｉ・ＣｄＢであることが可能である。定数Ｃは、送信パラメータ（本明細書においては、以降では簡潔に、パラメータ）に関する一例である。例として、ｃ＝ｌｎ  ４、ｃ’＝２、またはＣ＝６ｄＢである。
【００１４】
部分的な変調シンボルを組み合わせることは、適切なパラメータを適用することが可能であり、それによって受信機は、チャネル状況および／または受信機状況が許すだけの数のレイヤを復号することが可能である。
【００１５】
少なくとも、いくつかの実施形態および／またはチャネル状況においては、組み合わされた部分的な変調シンボル（たとえば、階層変調）のおかげで、データ送信は、雑音および／または干渉の存在下で、たとえば、急速に変動する雑音および／または干渉のもとで、より堅牢であることが可能である。
【００１６】
本技術の実施形態は、受信機へのデータの無線送信のための、たとえば、単一の受信機へユニキャストするための、またはいくつかの受信機へ同じデータをマルチキャストするための事前対処的なまたはフィードバックのないリンク適合を可能にすることができる。別々の出力レベルは、受信機への無線送信の別々のレイヤに対応することが可能である。受信機における瞬間のチャネル状況に応じて、レイヤのうちのさらに多数が、またはさらに少数が、変調シンボル、すなわち、組み合わされた部分的な変調シンボルのみに基づいて受信機において成功裏に受信可能（たとえば、復号可能）であり得る。
【００１７】
別々の部分的な変調シンボルが、それぞれのレイヤに従って別々の出力レベルで組み合わされることが可能である。それぞれのレイヤは、対応する出力レベルに関連付けられることが可能である。別々の出力レベルで部分的な変調シンボルを組み合わせることは、階層変調と呼ばれることも可能である。
【００１８】
別々のレイヤは、受信機へのデータ送信のためのデータの出力レベル分割多重化を可能にすることができる。それらのレイヤは、階層変調のレイヤと呼ばれることが可能である。出力レベル分割多重化は、（たとえば、アンテナ分割多重化、ビームフォーミング、および／またはＭＩＭＯチャネルを使用する）時分割多重化、周波数分割多重化、および空間分割多重化のうちの少なくとも１つと組み合わされることが可能である。
【００１９】
部分的な変調シンボルのうちのそれぞれは、受信機へ送信されることになるデータの部分を表すことが可能である。本明細書においては、それぞれのレイヤに対応するデータの部分、および／またはそれぞれの部分的な変調シンボルによって表されているデータの部分は、簡潔にデータの部分と呼ばれることも可能である。
【００２０】
好ましくは、少なくとも２つの部分的な変調シンボルのうちのそれぞれの部分的な変調シンボルによって表されているデータの少なくとも２つの部分のそれぞれは、同じ受信機へ送信されることが可能である。すなわち、すべてのレイヤは、少なくとも１つの共通の受信機へデータを共同で提供することが可能である。たとえば、部分的な変調シンボルによって表されているデータの部分は、変調シンボルによって使用されている１つの無線リソースにおいて、それぞれ別々の受信機へのデータの別々のストリームを多重化していない。
【００２１】
少なくとも２つの部分的な変調シンボルによってデータを表すことは、それぞれの部分的な変調シンボルによって表される２つ以上の部分へとデータを分割することを含むことが可能である。たとえば、受信機へのデータストリームは、たとえば、受信機への無線送信の１つのレイヤにそれぞれが対応するサブストリームへと分割されることが可能である。サブストリームのそれぞれは、それぞれの部分的な変調シンボルを出力する変調器に関連付けられることが可能である。サブストリームのそれぞれに関して、それぞれの部分的な変調シンボルによって表されることになるデータの部分は、それぞれのサブストリームから順次に取られることが可能である。
【００２２】
それぞれの少なくとも２つの部分的な変調シンボルによって表されているデータの少なくとも２つの部分のすべては、１つまたは複数のデータパケットに属することが可能である。データパケットのそれぞれは、受信機へ宛てられることが可能である。
【００２３】
少なくとも２つの部分的な変調シンボル、またはそれぞれの少なくとも２つの部分的な変調シンボルによって表されているデータの少なくとも２つの部分は、非冗長であることが可能である。
【００２４】
変調シンボルを生成するために組み合わせられる少なくとも２つの別々の部分的な変調シンボルは、データの別々の部分を表すことが可能である。データの別々の部分は、完全に共通する要素がないこともしくは独立していることが可能であり、または最大でも部分的に重なり合うことが可能である。たとえば、データの別々の部分は、データの共通の宛先である受信機によってのみ関連付けられることが可能である。
【００２５】
無線送信のそれぞれのレイヤに対応するデータの部分は、コードワードへと独立して符号化されることが可能である。２つ以上の部分的な変調シンボルのそれぞれは、変調方式に従ってそれぞれのコードワードから生じることが可能である。
【００２６】
コードワードは、チャネルコードをデータに適用することから生じることが可能である。チャネルコードは、（たとえば、線形）ブロック符号、畳み込み符号、ターボ符号、ビタビ符号、または低密度パリティチェック（ＬＤＰＣ）符号であることが可能である。データの部分のうちのそれぞれは、データの分割のダウンストリームで符号化されることが可能である。
【００２７】
レイヤのうちのそれぞれは、それぞれの部分的な変調シンボルを出力するための変調方式を使用して変調器に関連付けられることが可能である。たとえば、それぞれのレイヤのコードワードは、関連付けられている変調器へ入力されることが可能である。それぞれのレイヤは、チャネルコードを適用するエンコーダのダウンストリームで変調方式を適用する変調器を含む処理チェーンを含むことが可能である。
【００２８】
コードワードのうちのそれぞれは、データのそれぞれの部分を（たとえば、一意に）表すことが可能である。たとえば、部分的な変調シンボルは、それぞれのコードワードを（たとえば、一意に）表していることが可能であるので、部分的な変調シンボルのうちのそれぞれは、データのそれぞれの部分を表すことが可能である。
【００２９】
マルチレイヤ送信（またの名は階層変調）、たとえば、複数のレイヤのうちの少なくとも１つ、変調方式、およびエンコーディングのパラメータは、受信機への無線送信に関するチャネル状況もしくは受信機状況、またはそれらの状況の平均（たとえば、受信機からの一連の報告に基づく）に依存することが可能である。マルチレイヤ送信は、送信機における受信機状況の瞬間の知識を必要としない受信機における適合復調を可能にすることができる一方で、パラメータは、状況の時間的な平均に基づくことが可能である。送信機において瞬間的な受信機状況を知る必要はないと言える。パラメータに関する平均化の時間スケールは、より短い時間的な平均化を伴わずに、または伴ってチャネルを追跡把握する従来のリンク適合（ＬＡ）におけるタイムラグよりも長くてよい。
【００３０】
部分的な変調シンボルのうちのそれぞれは、変調方式を使用してデータのそれぞれの部分を表すことが可能である。レイヤのうちのそれぞれは、それぞれの部分的な変調シンボルを出力する変調器に関連付けられることが可能である。
【００３１】
レイヤの数、変調方式、および／またはエンコーディング（たとえば、変調符号化方式（ＭＳＣ））は、変調シンボルの持続時間よりもまれに適合されることが可能である。たとえば、レイヤの数、別々の出力レベル、変調方式、および／またはエンコーディングのうちの少なくとも１つを適合させることは、報告（たとえば、チャネル状態情報（ＣＳＩ）報告）に基づくことが可能であり、および／または複数の変調シンボルの時間を要する場合がある。数値例として、たとえば、データパケットが１ｍｓ程度の持続時間を有することが可能である一方で、別々のレイヤに関するパラメータは、１０ｓごとにチャネルフィードバックに基づいて更新されることが可能である。
【００３２】
変調方式は、位相シフトキーイング（ＰＳＫ、特に直交位相シフトキーイング（ＱＰＳＫ））、振幅シフトキーイング（ＡＳＫ）、および直交振幅変調（ＱＡＭ）のうちの少なくとも１つを含むことが可能である。ＱＡＭの別々の振幅は、別々のレイヤに従った出力レベル間における差よりも少ない別々の出力レベルに対応することが可能である。
【００３３】
同じ変調方式は、変調シンボルを生成するために組み合わせられる部分的な変調シンボルのうちの少なくとも２つのために使用されることが可能である。たとえば、変調シンボルを生成するために組み合わせられる少なくとも２つの部分的な変調シンボルのそれぞれは、同じ変調方式を使用することが可能である。代替として、または追加として、変調シンボルを生成するために組み合わせられる少なくとも２つの部分的な変調シンボルは、別々の変調方式を使用することが可能である。
【００３４】
代替として、または追加として、別々のレイヤは、データの部分のエンコーディングのために（およびしたがって、受信機において部分的な変調シンボルを復号するために）別々のチャネルコード（たとえば、別々の符号化率）を使用することが可能である。
【００３５】
別々のレイヤに対応するデータの部分に関して別々の変調方式（たとえば、表すステップにおける）および／または別々のコーディングスキーム（たとえば、エンコーディングのための）を使用することは、状況の変化に対するフレキシブルなまたは動的な適合を可能にすることができる。たとえば、この方法を実行する送信機（または送信機と受信機とを含むシステム）は、２つのレイヤのみをサポートすることが可能である。変調シンボルによって表すことが可能なデータのサイズ、すなわち、最後の変調アルファベットのサイズ（すなわち、部分的な変調シンボルに関してそれぞれのレイヤにおいて使用される変調方式の変調アルファベットの組合せ）は、別々のレイヤにおいて数個の別々の変調方式を組み合わせることによって、大きく変化することが可能である。たとえば、最後のシンボルアルファベットは、１つのレイヤに関してＱＰＳＫを使用して、および別のレイヤに関して１６−ＱＡＭを使用して、２６＝６４のサイズを達成することが可能である。
【００３６】
少なくとも２つの部分的な変調シンボルのそれぞれは、データのそれぞれの部分を表す位相および振幅のうちの少なくとも１つを含むことが可能である。変調方式は、たとえば、コンステレーション図に従ったコンステレーション平面における、それぞれの部分的な変調シンボルに関するシンボル候補のセット（すなわち、それぞれの変調方式の変調アルファベット）を含むことが可能である。セットにおけるシンボル候補のうちのそれぞれは、位相および振幅のうちの少なくとも１つの点で異なることが可能である。データの部分を表す部分的な変調シンボルは、データの部分に応じて、セットから（たとえば、コンステレーション図から）選択されることが可能である。
【００３７】
組み合わせるステップは、それぞれの出力レベルに従って部分的な変調シンボルの振幅を決定または増減することを含むことが可能である。別々の出力レベルは、増減された変調アルファベットまたは増減されたコンステレーション図に対応することが可能である。代替として、または追加として、組み合わせることは、次のさらに高いレイヤの部分的な変調シンボルに従ってコンステレーション平面においてシフトされた変調アルファベットまたはコンステレーション図に対応することが可能である。
【００３８】
レイヤは、それぞれの出力レベルに従って（たとえば、整数インデックスによって）順序付けられることが可能である。連続したレイヤのそれぞれのペアの振幅は、２以上の係数によって増減されることが可能であり、連続したレイヤのそれぞれのペアの出力は、４以上の係数だけ異なることが可能であり、および／または連続したレイヤのそれぞれのペアの出力レベルは、６ｄＢ以上異なることが可能である。別々の出力レベルは、６ｄＢ以上ペアで異なることが可能である。
【００３９】
無線送信は、雑音および干渉のうちの少なくとも１つにさらされているチャネルを使用することが可能である。出力レベルは、雑音および干渉のうちの少なくとも１つの平均出力、ならびに／または雑音および干渉のうちの少なくとも１つの出力の変化（たとえば、変化の分散もしくはサイズ、および／もしくは変化の割合）に応じて制御または決定されることが可能である。たとえば、雑音および干渉のうちの少なくとも１つの平均出力は、変調シンボルの持続時間にわたって別々の出力レベルのうちの最小の出力レベル以上変化することが可能である。代替として、または追加として、雑音および干渉のうちの少なくとも１つの平均出力は、受信機においてチャネルを測定するために、ならびに／または適応符号化および／もしくは変調のために受信機から測定に基づくチャネルフィードバックを受信するために必要とされる時間間隔内で別々の出力レベルのうちの最小の出力レベル以上変化することが可能である。
【００４０】
本明細書においては、特定の時間内で特定の量「だけ変化する」ことは、前記時間にわたる時間的な分散がその特定の量以上であることを包含することが可能である。
【００４１】
状況の変化または分散の時間スケールは、チャネルフィードバックに基づく適応符号化および／または変調に関する時間スケールよりも少ないことが可能である。チャネルフィードバックは、暗黙的なフィードバックおよび明示的なフィードバックのうちの少なくとも１つを含むことが可能である。暗黙的なフィードバックは、以前の無線送信の結果、たとえば、以前に送信されたデータに関する肯定または否定応答フィードバックを示すことが可能である。明示的なフィードバックは、受信機における、および／またはチャネル上での雑音および／もしくは干渉の平均レベルならびに／または雑音および／もしくは干渉における変化を示すことが可能である。代替として、または追加として、明示的なチャネルフィードバックは、データ送信のために使用するためのＭＣＳを示すこと（たとえば、そのＭＣＳに関する提案であること）が可能である。
【００４２】
無線送信は、雑音および干渉のうちの少なくとも１つにさらされているチャネルを使用することが可能である。データまたはデータのそれぞれの部分は、データパケットに属することが可能である。雑音および干渉のうちの少なくとも１つの出力は、後に送信されるデータパケット間における時間間隔内で別々の出力レベルのうちの最小の出力レベル以上変化することが可能である。
【００４３】
変化（たとえば、分散）は、常にこれほど大きいことが可能であり、または常にこれほど大きいとは限らないことが可能である。いくつかの実施形態は、たとえば、雑音および干渉のうちの少なくとも１つの出力が、それぞれ指定された持続時間または時間間隔のいくつかの場合においてのみ別々の出力レベルのうちの最小の出力レベルだけ変化する場合に、本技術を有益に使用することが可能である。たとえば、たとえ１つのデータパケットから次のデータパケットへの変化が３ｄＢであるにすぎない可能性があっても、レイヤ間における出力レベルに関する６ｄＢの差は、たとえば、従来から最適化されている単一レイヤの変調に比較して、（たとえば、スループットの点で）依然として有益であることが可能である。
【００４４】
状況の変化（たとえば、分散）に基づいて、別々のレイヤに関連付けられている出力レベルを決定することに対する代替として、または追加として、別々のレイヤに関連付けられている出力レベル間における差は、カバーされることになる合計レンジ（たとえば、送信出力もしくはカバレッジエリアの点で）および／またはレイヤの数（たとえば、送信機における処理チェーンの数に起因して利用可能なレイヤの最大数）によって決定されることが可能である。たとえば、無線送信は、雑音および干渉のうちの少なくとも１つにさらされているチャネルを使用することが可能であり、データは、データパケットに属することが可能である。この方法はさらに、レイヤの数および別々の出力レベルのうちの少なくとも１つを決定するステップであって、別々の出力レベルのうちの最小の出力レベルが、雑音および干渉のうちの少なくとも１つの出力の２倍である、その出力に等しい、またはその出力未満である、レイヤの数および別々の出力レベルのうちの少なくとも１つを決定するステップを含むことまたは開始することが可能である。
【００４５】
受信機は、マルチレイヤ送信のおかげで、送信機における状況の瞬間の知識に対する必要性を伴わずに、チャネル状況および／または受信機状況（状況とも呼ばれる）を報告すること（チャネルフィードバックとも呼ばれる）が可能である。たとえば、報告される状況は、平均化時間スケール上で時間平均化されることが可能であり、および／または報告は、周期性を伴って受信されることが可能であり、平均化時間スケールまたは周期性は、受信機での状況における変化の時間スケールよりも複数倍長い。
【００４６】
雑音および／または干渉の出力は、受信された出力（たとえば、参照信号受信電力（ＲＳＲＰ））、受信チャネル電力インジケータ（ＲＣＰＩ）、受信信号強度インジケータ（ＲＳＳＩ）、信号対雑音比（ＳＮＲ）、および信号対雑音干渉比（ＳＮＩＲ）のうちの少なくとも１つとして測定および／または報告されることが可能である。たとえば、雑音出力および／または干渉出力は、変調シンボルの持続時間にわたって少なくとも２デシベル（ｄＢ）だけ変動することが可能である。報告は、時間スケール（たとえば、平均化時間スケールまたは周期性）上でなされることが可能であり、この時間スケールは、多数のパケットの送信時間に対応することが可能である。たとえば、受信機からのチャネルフィードバックは、１００個のパケットまたは１０００個のパケットごとに受信されることが可能である。
【００４７】
データは、複数のサブキャリアを含むチャネル上で送信されることが可能である。変調シンボルは、サブキャリアのうちの１つの上で送信されることが可能であり、またはそれぞれのレイヤは、それぞれの複数の変調シンボルへと組み合わせられる複数の部分的な変調シンボルを生成することが可能であり、それらのそれぞれは、サブキャリアのうちの１つへマップされている。この送信は、無線送信を含むことが可能である。
【００４８】
第１の例においては、データパケットが１ｍｓの持続時間を有する。時間ｔ＝０において、受信機における干渉は、望ましい信号よりも１０倍弱いことが可能である（すなわち、Ｃ／Ｉ＝１０ｄＢ）。その後、時間ｔ＝１００μｓにおいて、干渉は、望ましい信号よりも１００倍弱いことが可能である（すなわち、Ｃ／Ｉ＝２０ｄＢ）。マルチレイヤ送信のおかげで、従来のフィードバックベースのＬＡに比較して、より多くのレイヤが、受信機において復号可能であり得る。なぜなら、Ｃ／Ｉにおける変化は、フィードバックベースのＬＡにとって速すぎるからである。
【００４９】
第２の例においては、データパケットが１ｍｓの持続時間を有する。時間ｔ＝０において、干渉は、望ましい信号と同じぐらい強い（すなわち、Ｃ／Ｉ＝０ｄＢ）。その後、時間ｔ＝１００μｓにおいて、干渉は、望ましい信号よりも１０倍弱い（すなわち、Ｃ／Ｉ＝１０ｄＢ）。マルチレイヤ送信のおかげで、従来のフィードバックベースのＬＡに比較して、より多くのレイヤが、受信機において復号可能であり得る。なぜなら、Ｃ／Ｉにおける変化は、フィードバックベースのＬＡにとって速すぎるからである。
【００５０】
さらに、組み合わせられた変調シンボルにおける（すなわち、階層変調に関する）出力オフセット（すなわち、出力レベル間における差）は、第１の例においてと、第２の例においてとで同じであることが可能である。なぜなら、Ｃ／Ｉにおける変化が同じであるからである。さらに干渉は、第２の例においては、はるかに強いことが可能である。任意選択で、第１の例において使用されるチャネルコード（たとえば、符号化率）は、第２の例において使用されるチャネルコードとは異なる。
【００５１】
チャネル状況、たとえば、雑音および干渉のうちの少なくとも１つの出力は、変調シンボルの持続時間に対応する時間スケールもしくはその倍数（たとえば、サブフレームもしくはスロット）、またはその後のデータパケット送信間の時間間隔上では予測不能である場合がある。階層的なレイヤ（たとえば、雑音および／または干渉に対応する適切な出力レベルを有するレイヤを含む）を使用することによって、データのそれぞれの部分は、チャネル状況が許す場合は常に、受信機において選択的に復調されること（たとえば、および復号されること）が可能である。
【００５２】
組み合わせることは、それぞれのレイヤに従ってそれぞれの出力レベルで少なくとも２つの部分的な変調シンボルをコヒーレントに足し合わせることを含むことが可能である。
【００５３】
この方法はさらに、送信された変調シンボルに基づいて、復号に成功したレイヤの数（たとえば、復調されて復号に成功した部分的な変調シンボルの数）を示す肯定応答フィードバックを受信するステップを含むことまたは開始することが可能である。示される数は、最も高い出力レベルの部分的な変調シンボルもしくはレイヤから開始してカウントされることが可能であり、および／または出力レベルの降順に、復号に成功したレイヤの間で最小の出力レベルの部分的な変調シンボルもしくはレイヤまで（たとえば、その部分的な変調シンボルもしくはレイヤを含めて）さらにカウントされることが可能である。
【００５４】
肯定応答フィードバックは、復号に成功したレイヤの数を示すことが可能である。その数は、受信機における雑音および／または干渉のレベルを意味することが可能である。
【００５５】
同じデータが、第１の受信機および第２の受信機へ送信されることが可能である。第１の受信機からの肯定応答フィードバックは、復号に成功したレイヤ（たとえば、復調されて復号に成功した部分的な変調シンボル）の第１の数を示すことが可能である。第２の受信機からの肯定応答フィードバックは、第１の数とは異なる復号に成功したレイヤ（たとえば、復調されて復号に成功した部分的な変調シンボル）の第２の数を示すことが可能である。
【００５６】
第２の部分的な変調シンボルよりも大きな出力レベルで送信される第１の部分的な変調シンボルが、第２の部分的な変調シンボルによって表されているデータの第２の部分よりも高い優先度またはサービス品質（ＱｏＳ）に関連付けられているデータの第１の部分を表すことが可能である。より高い優先度またはＱｏＳを伴うデータ部分は、出力レベルの点でさらに高いレイヤ上で送信または再送信されることが可能である。
【００５７】
この方法はさらに、以前に送信された変調シンボルによって表されているデータの部分の再送信を含むさらなる変調シンボルを送信するステップを含むことまたは開始することが可能である。再送信される部分は、以前に送信された変調シンボルにおけるデータの再送信される部分を表す部分的な変調シンボルよりも大きな出力レベルを有するさらなる変調シンボルにおける部分的な変調シンボルによって表されることが可能である。データの部分の再送信のために使用されるレイヤは、以前の送信に比べて再送信の合計出力を増大させることなく、以前の送信において同じ部分のために使用されたレイヤに比べて増大されることが可能である。
【００５８】
第２の方法態様については、データを無線受信する方法が提供される。この方法は、別々の出力レベルでの少なくとも２つの部分的な変調シンボルの組合せである変調シンボルを受信するステップを含むことまたは開始することが可能である。この方法はさらに、受信された変調シンボルに基づいて、部分的な変調シンボルを復調し、復調された部分的な変調シンボルを、受信された変調シンボルから差し引いて、残余変調シンボルを得るステップを含むことまたは開始することが可能である。この方法はさらに、データを表す少なくとも２つの部分的な変調シンボルを復調するために残余変調シンボルに基づいて復調を繰り返すステップを含むことまたは開始することが可能である。
【００５９】
部分的な変調シンボルが復号に成功されている場合に、およびその場合にのみ、部分的な変調シンボルは、受信された変調シンボルから差し引かれることが可能である。復調を繰り返すことはさらに、たとえば、復調された部分的な変調シンボルが復号に成功した場合に、復調された部分的な変調シンボルを以前の残余変調シンボルから差し引くことを含むことが可能である。復調またはデコーディングが失敗した場合には（たとえば、それが最初の復調か、またはその後の復調かを問わず、任意の時点で）、受信された変調シンボルに関して復調を差し引くことおよび繰り返すことは終了されることが可能である。
【００６０】
第２の方法態様は、受信機における階層化されたデコーディングアプローチによって実施されることが可能である。さまざまなレイヤは、順におよび／または独立して復号されることが可能である。その上、送信されたレイヤのうちのそれぞれは、受信機への肯定応答フィードバックにおいて別々に応答されることが可能である。代替として、または追加として、コーディング（すなわち、受信機におけるエンコーディングおよび受信機におけるデコーディング）は、別々のレイヤに関して独立して（すなわち、その他のレイヤから独立して）選択されることが可能である。コーディングは、レイヤのうちのそれぞれに関して自己完結的であることが可能である。別々のレイヤの相対的な堅牢性を制御するパラメータ（たとえば、出力レベルおよび／またはＭＣＳ）は、たとえば、干渉または雑音に起因する、状況における予想される変化（たとえば、分散）に合わせて調整されることが可能である。
【００６１】
受信された変調シンボルは、たとえば、レイヤごとに、次のさらに高いレイヤの復調された（たとえば、および復号された）変調シンボルを差し引くことによって、連続して復調されること（たとえば、および復号されること）が可能である。
【００６２】
復調および／またはデコーディングは、復調された部分的な変調シンボルの復調またはデコーディングが失敗するまで、減少していく出力レベルの順に繰り返されることが可能である。デコーディングの失敗は、復調された部分的な変調シンボルを復号した際のエラー（たとえば、失敗した巡回冗長検査（ＣＲＣ））によって決定されることが可能である。
【００６３】
この方法はさらに、受信された変調シンボルの送信機へ肯定応答フィードバックを送信するステップを含むことまたは開始することが可能であり、その肯定応答フィードバックは、受信された変調シンボルに基づいて、復号に成功した部分的な変調シンボルの数を示している。その数は、繰り返しの数に対応することが可能である。その数は、最も高い出力レベルの部分的な変調シンボルから開始して、出力レベルの降順に、復号に成功した部分的な変調シンボルの間で最小の出力レベルの部分的な変調シンボルまでカウントされることが可能である。
【００６４】
第２の方法態様はさらに、第１の方法態様のコンテキストにおいて開示されている、任意の特徴を含むことが可能であり、または任意のステップを含むこともしくは開始することが可能であり、またはそれに対応する特徴もしくはステップを含むことが可能である。たとえば、受信された変調シンボルにおいて組み合わされている部分的な変調シンボルのうちの少なくとも２つは、別々の出力レベルで適用される同じ変調方式に対応することが可能である。
【００６５】
その上、第１の方法態様は、送信局（簡潔には、送信機）、たとえば、ダウンリンクに関しては基地局、またはアップリンクもしくはサイドリンク接続に関しては無線デバイスにおいて、またはその送信局によって実行されることが可能である。代替として、または組み合わせて、第２の方法態様は、受信局（簡潔には、受信機）、たとえば、アップリンクに関しては基地局、またはダウンリンクもしくはサイドリンク接続に関しては無線デバイスにおいて、またはその受信局によって実行されることが可能である。
【００６６】
データ送信および無線受信のために使用されるチャネルまたはリンク、すなわち、送信機と受信機との間におけるチャネルは、複数のサブチャネルまたはサブキャリアを（周波数ドメインとして）含むことが可能である。代替として、または追加として、チャネルまたはリンクは、複数の変調シンボルに関する１つまたは複数のスロットを（時間ドメインとして）含むことが可能である。代替として、または追加として、チャネルまたはリンクは、送信機における指向性送信（またの名はビームフォーミング送信）、受信機における指向性受信（またの名はビームフォーミング受信）、または２つ以上の空間ストリームを伴う多入力多出力（ＭＩＭＯ）チャネルを（空間ドメインとして）含むことが可能である。本技術による変調シンボルは、時間ドメイン、周波数ドメイン、および空間ドメインのうちの少なくとも１つにおいて規定されている複数のリソースエレメントのそれぞれに関して送信および受信されることが可能である。
【００６７】
送信機および受信機は、間隔を空けられることが可能である。送信機および受信機は、もっぱら無線通信を用いたデータ通信状態または信号通信状態にあることが可能である。
【００６８】
いずれの態様においても、送信機および受信機は、たとえば、第３世代パートナーシッププロジェクト（３ＧＰＰ）による、または標準ファミリＩＥＥＥ８０２．１１（Ｗｉ−Ｆｉ）による無線ネットワークを形成することが可能であり、またはその無線ネットワークの部分であることが可能である。無線ネットワークは、１つまたは複数の基地局を含む無線アクセスネットワーク（ＲＡＮ）であることが可能である。代替として、または追加として、無線ネットワークは、車両ネットワーク、アドホックネットワーク、および／またはメッシュネットワークであることが可能である。第１の方法態様は、無線ネットワークにおける送信機の１つまたは複数の実施形態によって実行されることが可能である。第２の方法態様は、無線ネットワークにおける受信機の１つまたは複数の実施形態によって実行されることが可能である。
【００６９】
無線デバイスのうちのいずれも、モバイルまたは無線デバイス、たとえば、３ＧＰＰユーザ機器（ＵＥ）またはＷｉ−Ｆｉステーション（ＳＴＡ）であることが可能である。無線デバイスは、モバイルもしくはポータブルステーション、マシン型通信（ＭＴＣ）のためのデバイス、ナローバンドインターネットオブシングス（ＮＢ−ＩｏＴ）のためのデバイス、またはそれらの組合せであることが可能である。ＵＥおよび移動局に関する例は、モバイル電話、タブレットコンピュータ、および自動運転車両を含む。ポータブルステーションに関する例は、ラップトップコンピュータおよびテレビセットを含む。ＭＴＣデバイスまたはＮＢ−ＩｏＴデバイスに関する例は、たとえば、製造、自動車通信、およびホームオートメーションにおけるロボット、センサ、および／またはアクチュエータを含む。ＭＴＣデバイスまたはＮＢ−ＩｏＴデバイスは、製造工場、家庭用機器、および大衆消費電子製品において実施されることが可能である。
【００７０】
無線デバイスのうちのいずれも、基地局のうちのいずれかと（たとえば、無線リソース制御（ＲＲＣ）状態またはアクティブモードに従って）無線で接続されることまたは接続できることが可能である。本明細書においては、基地局は、無線デバイスのうちのいずれかに無線アクセスを提供するように設定されている任意のステーションを包含することが可能である。基地局は、送信／受信ポイント（ＴＲＰ）、無線アクセスノード、またはアクセスポイント（ＡＰ）と呼ばれることも可能である。（たとえば、無線ネットワークと、ＲＡＮおよび／またはインターネットとの間における）ゲートウェイとして機能する基地局または無線デバイスのうちの１つは、データを提供するホストコンピュータへのデータリンクを提供することが可能である。基地局に関する例は、３Ｇ基地局またはＮｏｄｅ  Ｂ、４Ｇ基地局またはｅＮｏｄｅＢ、５Ｇ基地局またはｇＮｏｄｅＢ、Ｗｉ−Ｆｉ  ＡＰ、およびネットワークコントローラ（たとえば、Ｂｌｕｅｔｏｏｔｈ、ＺｉｇＢｅｅ、またはＺ−Ｗａｖｅに従って）を含むことが可能である。
【００７１】
ＲＡＮは、汎欧州デジタル移動電話方式（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、３ＧＰＰ  Ｌｏｎｇ−Ｔｅｒｍ  Ｅｖｏｌｕｔｉｏｎ（ＬＴＥ）、および／または３ＧＰＰ新無線（ＮＲ）に従って実施されることが可能である。
【００７２】
本技術のいずれの態様も、無線通信のためのプロトコルスタックの物理レイヤ（ＰＨＹ）、メディアアクセス制御（ＭＡＣ）レイヤ、無線リンク制御（ＲＬＣ）レイヤ、および／または無線リソース制御（ＲＲＣ）レイヤ上で実施されることが可能である。
【００７３】
別の態様については、コンピュータプログラム製品が提供される。このコンピュータプログラム製品は、プログラムコード部分を含み、そのプログラムコード部分は、１つまたは複数のコンピューティングデバイスによってこのコンピュータプログラム製品が実行されたときに、本明細書において開示されている方法態様のステップのうちのいずれか１つを実行するためのものである。このコンピュータプログラム製品は、コンピュータ可読記録メディア上に格納されることが可能である。このコンピュータプログラム製品は、たとえば、無線ネットワーク、ＲＡＮ、インターネット、および／またはホストコンピュータを介したダウンロードのために提供されることも可能である。代替として、または追加として、方法は、フィールドプログラムマブルゲートアレイ（ＦＰＧＡ）および／もしくは特定用途向け集積回路（ＡＳＩＣ）において符号化されることが可能であり、または機能は、ハードウェア記述言語を用いてダウンロードのために提供されることが可能である。
【００７４】
第１のデバイス態様については、データを無線送信するためのデバイスが提供される。このデバイスは、第１の方法態様のステップのうちのいずれか１つを実行するように設定されることが可能である。代替として、または追加として、このデバイスは、少なくとも２つの部分的な変調シンボルによって、受信機へ送信されることになるデータを表すように設定されている表示ユニットを含むことが可能である。少なくとも２つの部分的な変調シンボルのそれぞれは、受信機への無線送信の別々のレイヤに関連付けられることが可能である。代替として、または追加として、このデバイスは、関連付けられているレイヤに従って別々の出力レベルで少なくとも２つの部分的な変調シンボルを組み合わせることによって変調シンボルを生成するように設定されている生成ユニットを含むことが可能である。代替として、または追加として、このデバイスは、変調シンボルを受信機へ送信するように設定されている送信ユニットを含むことが可能である。
【００７５】
第２のデバイス態様については、データを無線受信するためのデバイスが提供される。このデバイスは、第２の方法態様のステップのうちのいずれか１つを実行するように設定されることが可能である。代替として、または追加として、このデバイスは、別々の出力レベルでの少なくとも２つの部分的な変調シンボルの組合せである変調シンボルを受信するように設定されている受信ユニットを含むことが可能である。代替として、または追加として、このデバイスは、受信された変調シンボルに基づいて、部分的な変調シンボルを復調し、復調された部分的な変調シンボルを、受信された変調シンボルから差し引いて、残余変調シンボルを得るように設定されている復調ユニットを含むことが可能である。代替として、または追加として、このデバイスは、データを表す少なくとも２つの部分的な変調シンボルを復調するために残余変調シンボルに基づいて復調を繰り返すように設定されている繰り返しユニットを含むことが可能である。
【００７６】
復調を繰り返すことは、繰り返しユニットへ残余変調シンボルを入力することによって実施されることが可能であり、繰り返しユニットは、次の復調された部分的な変調シンボルと、さらなる残余変調シンボルとを出力することが可能である。
【００７７】
さらなる第１のデバイス態様については、データを無線送信するためのデバイスが提供される。このデバイスは、少なくとも１つのプロセッサおよびメモリを含む。前記メモリは、前記少なくとも１つのプロセッサによって実行可能な命令を含むことが可能であり、それらの命令によってこのデバイスは、少なくとも２つの部分的な変調シンボルによって、受信機へ送信されることになるデータを表すように動作する。少なくとも２つの部分的な変調シンボルのそれぞれは、受信機への無線送信の別々のレイヤに関連付けられることが可能である。それらの命令の実行はさらに、関連付けられているレイヤに従って別々の出力レベルで少なくとも２つの部分的な変調シンボルを組み合わせることによって変調シンボルを生成するようにこのデバイスを動作させることが可能である。それらの命令の実行はさらに、変調シンボルを受信機へ送信するようにこのデバイスを動作させることが可能である。このデバイスはさらに、第１の方法態様のステップのうちのいずれかを実行するように動作することが可能である。
【００７８】
さらなる第２のデバイス態様については、データを無線受信するためのデバイスが提供される。このデバイスは、少なくとも１つのプロセッサおよびメモリを含む。前記メモリは、前記少なくとも１つのプロセッサによって実行可能な命令を含むことが可能であり、それらの命令によってこのデバイスは、別々の出力レベルでの少なくとも２つの部分的な変調シンボルの組合せである変調シンボルを受信するように動作する。それらの命令の実行はさらに、受信された変調シンボルに基づいて、部分的な変調シンボルを復調し、復調された部分的な変調シンボルを、受信された変調シンボルから差し引いて、残余変調シンボルを得るようにこのデバイスを動作させることが可能である。それらの命令の実行はさらに、データを表す少なくとも２つの部分的な変調シンボルを復調するために残余変調シンボルに基づいて復調を繰り返すようにこのデバイスを動作させることが可能である。このデバイスはさらに、第２の方法態様のステップのうちのいずれかを実行するように動作することが可能である。
【００７９】
またさらなる態様については、ホストコンピュータを含む通信システムが提供される。ホストコンピュータは、たとえば、ロケーション決定ステップにおいて決定されたＵＥのロケーションに応じてユーザデータを提供するように設定されている処理回路を含むことが可能である。ホストコンピュータはさらに、ユーザ機器（ＵＥ）への送信のためにユーザデータをセルラネットワークへ転送するように設定されている通信インターフェースを含むことが可能であり、ＵＥは、無線インターフェースおよび処理回路を含み、セルラネットワークの処理回路は、第１および／または第２の方法態様のステップのうちのいずれか１つを実行するように設定されている。
【００８０】
通信システムはさらに、ＵＥを含むことが可能である。代替として、または追加として、セルラネットワークはさらに、第１の方法態様および／または第２の方法態様を使用して、ＵＥと通信するように、および／またはＵＥとホストコンピュータとの間におけるデータリンクを提供するように設定されている１つまたは複数の基地局および／またはゲートウェイを含むことが可能である。
【００８１】
ホストコンピュータの処理回路は、ホストアプリケーションを実行し、それによって、本明細書において記述されているユーザデータおよび／または任意のホストコンピュータ機能を提供するように設定されることが可能である。代替として、または追加として、ＵＥの処理回路は、ホストアプリケーションに関連付けられているクライアントアプリケーションを実行するように設定されることが可能である。
【００８２】
本技術を具体化するためのデバイス、ＵＥ、基地局、システム、または任意のノードもしくはステーションのうちのいずれか１つは、方法態様のコンテキストにおいて開示されている任意の特徴をさらに含むことが可能であり、その逆もまた同様である。特に、ユニットおよびモジュール、または専用のユニットもしくはモジュールのうちのいずれか１つは、方法態様のステップのうちの１つまたは複数を実行または開始するように設定されることが可能である。
【００８３】
本技術の実施形態のさらなる詳細が、添付されている図面を参照しながら記述されている。
【図面の簡単な説明】
【００８４】
【図１】データを無線送信するためのデバイスの例示的な概略ブロック図である。
【図２】データを無線受信するためのデバイスの例示的な概略ブロック図である。
【図３】データを無線送信する方法に関する例示的なフローチャートであり、この方法は、図１のデバイスによって実施可能であり得る。
【図４】データを無線受信する方法に関する例示的なフローチャートであり、この方法は、図２のデバイスによって実施可能であり得る。
【図５】図１のデバイスの一実施形態の概略ブロック図である。
【図６】図３および図４の方法のために使用可能であり得る部分的な変調シンボルに関する例を概略的に示す図である。
【図７】図３および図４の方法のために使用可能であり得る部分的な変調シンボルの組合せから生じる変調シンボルに関する例を概略的に示す図である。
【図８】無線通信における図１および図２の無線デバイスの一実施形態から生じる個々のレイヤのブロック誤り率を概略的に示す図である。
【図９】無線通信における図１および図２の無線デバイスの一実施形態から生じるデータスループット、ならびに比較例を概略的に示す図である。
【図１０】例示的な隠れノード無線環境における図１および図２の無線デバイスの実施形態を概略的に示す図である。
【図１１】空間的に分散された干渉物を含む例示的な無線環境を概略的に示す図である。
【図１２】空間的に分散された干渉物を含む例示的な無線環境を通る軌道から生じる干渉の変動するレベルの一例を概略的に示す図である。
【図１３】長い時間スケール上での雑音の変化するレベルの一例を概略的に示す図である。
【図１４】中ぐらいの時間スケール上での雑音の変化するレベルの一例を概略的に示す図である。
【図１５】短い時間スケール上での雑音の変化するレベルの一例を概略的に示す図である。
【図１６】ノードの点での変位値としての雑音および干渉のレベルに関する平均および分散の例示的な測定値を概略的に示す図である。
【図１７】図１６に関して規定されているノードの順序を使用した雑音および干渉のレベルに関する平均および分散のさらなる例を概略的に示す図である。
【図１８】図１のデバイスを具体化する送信局の例示的な概略ブロック図である。
【図１９】図２のデバイスを具体化する受信局の例示的な概略ブロック図である。
【図２０】中間ネットワークを介してホストコンピュータへ接続されている例示的なテレコミュニケーションネットワークを概略的に示す図である。
【図２１】部分的に無線の接続を介してユーザ機器とのゲートウェイとして機能する基地局または無線デバイスを介して通信するホストコンピュータの一般化されたブロック図である。
【図２２】ホストコンピュータと、ゲートウェイとして機能する基地局または無線デバイスと、ユーザ機器とを含む通信システムにおいて実施される方法に関するフローチャートである。
【図２３】ホストコンピュータと、ゲートウェイとして機能する基地局または無線デバイスと、ユーザ機器とを含む通信システムにおいて実施される方法に関するフローチャートである。
【発明を実施するための形態】
【００８５】
以降の記述においては、限定ではなく、説明の目的で、本明細書において開示されている技術の徹底的な理解を提供するために、特定のネットワーク環境など、具体的な詳細が示されている。これらの具体的な詳細から逸脱するその他の実施形態において本技術が実施されることが可能であるということは、当業者にとって明らかであろう。その上、以降の実施形態は、主として新無線（ＮＲ）または５Ｇの実装形態に関して記述されているが、本明細書において記述されている技術は、標準ファミリＩＥＥＥ８０２．１１による無線ローカルエリアネットワーク（ＷＬＡＮ）における、３ＧＰＰ  ＬＴＥ（たとえば、ＬＴＥアドバンスト、またはＭｕｌｔｅＦｉｒｅなどの関連した無線アクセス技術）を含むその他の任意の無線通信技術に関して、Ｂｌｕｅｔｏｏｔｈ  Ｓｐｅｃｉａｌ  Ｉｎｔｅｒｅｓｔ  Ｇｒｏｕｐ（ＳＩＧ）によるＢｌｕｅｔｏｏｔｈ、特にＢｌｕｅｔｏｏｔｈ  Ｌｏｗ  Ｅｎｅｒｇｙ、Ｂｌｕｅｔｏｏｔｈ  Ｍｅｓｈ  Ｎｅｔｗｏｒｋｉｎｇ、およびＢｌｕｅｔｏｏｔｈ  ｂｒｏａｄｃａｓｔｉｎｇに関して、Ｚ−Ｗａｖｅ  ＡｌｌｉａｎｃｅによるＺ−Ｗａｖｅに関して、またはＩＥＥＥ８０２．１５．４に基づくＺｉｇＢｅｅに関して実施されることも可能であるということは、容易に明らかである。
【００８６】
その上、本明細書において説明されている機能、ステップ、ユニット、およびモジュールは、プログラムされているマイクロプロセッサ、特定用途向け集積回路（ＡＳＩＣ）、フィールドプログラマブルゲートアレイ（ＦＰＧＡ）、デジタル信号プロセッサ（ＤＳＰ）、または、たとえば、Ａｄｖａｎｃｅｄ  ＲＩＳＣ  Ｍａｃｈｉｎｅ（ＡＲＭ）を含む汎用コンピュータとともに機能するソフトウェアを使用して実施されることが可能であるということを当業者なら理解するであろう。以降の実施形態は、主として、方法およびデバイスを伴うコンテキストにおいて記述されているが、本発明は、コンピュータプログラム製品において、ならびに、少なくとも１つのコンピュータプロセッサと、その少なくとも１つのプロセッサに結合されているメモリとを含むシステムであって、そのメモリが、機能およびステップを実行すること、または本明細書において開示されているユニットおよびモジュールを実施することが可能な１つまたは複数のプログラムで符号化されている、システムにおいて具体化されることも可能であるということも理解されるであろう。
【００８７】
図１は、データを無線送信するためのデバイスの例示的なブロック図を概略的に示している。第１の無線デバイスは、参照符号１００によって総称される。
【００８８】
デバイス１００は、少なくとも２つの部分的な変調シンボルによって、受信機へ送信されることになるデータを表す変調モジュール１０２を含む。部分的な変調シンボルのそれぞれは、受信機への無線送信の別々のレイヤに関連付けられている。デバイス１００はさらに、関連付けられているレイヤに従って別々の出力レベルで少なくとも２つの部分的な変調シンボルを組み合わせることによって変調シンボルを生成する組み合わせモジュール１０４を含む。デバイス１００はさらに、変調シンボルを受信機へ送信する送信モジュール１０６を含む。
【００８９】
受信デバイス１００のモジュールのうちのいずれも、対応する機能を提供するように設定されているユニットによって実施されることが可能である。
【００９０】
デバイス１００は、送信局もしくは送信機と呼ばれることも可能であり、または送信局もしくは送信機によって具体化されることが可能である。デバイス１００および受信機は、少なくともデバイス１００におけるデータ送信に関して無線通信状態にある。
【００９１】
図２は、データを無線受信するためのデバイスの例示的なブロック図を概略的に示している。このデバイスは、参照符号２００によって総称される。
【００９２】
デバイス２００は、変調シンボルを受信する受信モジュール２０２を含む。変調シンボルは、別々の出力レベルでの少なくとも２つの部分的な変調シンボルの組合せである。デバイス２００はさらに、受信された変調シンボルに基づいて、部分的な変調シンボルを復調する復調モジュール２０４を含む。デバイス２００はさらに、復調された部分的な変調シンボルを、受信された変調シンボルから差し引いて、残余変調シンボルを得る差し引きモジュール２０６を含む。復調モジュール２０４および差し引きモジュール２０６は、データを表す少なくとも２つの部分的な変調シンボルを（たとえば、順に、またはそれぞれ）復調するために残余変調シンボルに基づいて復調を繰り返すために結合されることが可能である。
【００９３】
デバイス２００のモジュールのうちのいずれも、対応する機能を提供するように設定されているユニットによって実施されることが可能である。
【００９４】
デバイス２００は、受信デバイスもしくは受信機と呼ばれることも可能であり、または受信デバイスもしくは受信機によって具体化されることが可能である。デバイス２００およびデータの送信機は、少なくともデバイス２００におけるデータ受信に関して無線通信状態にある。
【００９５】
図３は、データを無線送信する方法３００に関する例示的なフローチャートを示している。方法３００は、少なくとも２つの部分的な変調シンボルによって、受信機へ送信されることになるデータを表すステップ３０２であって、部分的な変調シンボルが各々、受信機への無線送信の別々のレイヤに関連付けられている、データを表すステップ３０２を含む、または開始する。方法３００はさらに、関連付けられているレイヤに従って別々の出力レベルで少なくとも２つの部分的な変調シンボルを組み合わせることによって変調シンボルを生成するステップ３０４を含む、または開始する。方法３００はさらに、変調シンボルを受信機へ送信するステップ３０６を含む、または開始する。
【００９６】
方法３００は、デバイス１００によって実行されることが可能である。たとえば、モジュール１０２、１０４、および１０６は、それぞれステップ３０２、３０４、および３０６を実行することが可能である。
【００９７】
図４は、データを無線受信する方法４００に関する例示的なフローチャートを示している。方法４００は、別々の出力レベルでの少なくとも２つの部分的な変調シンボルの組合せである変調シンボルを受信するステップ４０２を含む、または開始する。方法４００はさらに、受信された変調シンボルに基づいて、部分的な変調シンボルを復調し、復調された部分的な変調シンボルを、受信された変調シンボルから差し引いて、残余変調シンボルを得るステップ４０４を含む、または開始する。方法４００はさらに、データを表す少なくとも２つの部分的な変調シンボルを４０４で（および差し引くことに関して適用可能な場合に）復調するために残余変調シンボルに基づいて復調４０４を繰り返すステップ４０６を含む、または開始する。
【００９８】
方法４００は、デバイス２００によって実行されることが可能である。たとえば、モジュール２０２、２０４、および２０６は、それぞれステップ４０２、４０４、および４０６を実行することが可能である。
【００９９】
本技術は、アップリンク（ＵＬ）、ダウンリンク（ＤＬ）、または無線デバイス間における直接通信、たとえば、Ｄ２Ｄ（ｄｅｖｉｃｅ−ｔｏ−ｄｅｖｉｃｅ）通信、またはサイドリンク通信に適用することができる。
【０１００】
デバイス１００およびデバイス２００のそれぞれは、無線デバイスおよび／または基地局であることが可能である。本明細書においては、いかなる無線デバイスも、基地局もしくはＲＡＮに、または別の無線デバイスに無線で接続可能なモバイルもしくはポータブルステーションおよび／または任意の無線デバイスであることが可能である。無線デバイスは、ユーザ機器（ＵＥ）、マシンタイプ通信（ＭＴＣ）のためのデバイス、または（たとえば、狭帯域）インターネットオブシングス（ＩｏＴ）のためのデバイスであることが可能である。２つ以上の無線デバイスが、たとえば、アドホック無線ネットワークにおいて、または３ＧＰＰサイドリンク接続を介して、互いに無線で接続するように設定されることが可能である。さらに、いかなる基地局も、無線アクセスを提供するステーションであることが可能であり、無線アクセスネットワーク（ＲＡＮ）の部分であることが可能であり、および／または無線アクセスを制御するためにＲＡＮに接続されているノードであることが可能である。さらに基地局は、アクセスポイント、たとえばＷｉ−Ｆｉアクセスポイントであることが可能である。
【０１０１】
データの無線送信のための方法３００によれば、データは、複数のレイヤを使用して送信されることが可能であり、別々のレイヤの堅牢性は異なる。代替として、または追加として、レイヤのそれぞれは、個々に復号されること、および個々に応答されることのうちの少なくとも一方が可能である。
【０１０２】
方法３００は、選択的に実行されることが可能である。送信機１００は、別々のレイヤを使用してデータを送信するための機能またはステップを使用すること、またはオフにすることを選択することが可能である。たとえば、ステップ３０２および３０４の代わりに、送信されることになるデータは、ステップ３０６において送信機へ送信される単一の変調シンボルによって表されることが可能であり、すなわち、そのデータは、単一のレイヤを使用して送信される。
【０１０３】
送信機１００は、２つ以上のデバイスへデータを送信することが可能である。データは、１つの受信機および少なくとも１つのさらなる受信機へ送信されることが可能である。すなわち、データは、マルチレイヤ送信３０６を使用してデバイスのうちの少なくとも１つへ送信される。任意選択で、データは、単一のレイヤを使用してデバイスのうちの少なくとも別の１つへ送信される。
【０１０４】
マルチレイヤ送信３０６を実行するか、または単一の送信を実行するかの選択は、たとえばチャネルフィードバックに基づいて、どれぐらい多くチャネル状況および／または受信機状況（まとめて、状況）が変化するとわかっているか、または予想されるかに基づくことが可能である。マルチレイヤ送信は、特定の量、たとえば、事前に規定されたまたは事前に設定されたしきい値よりも多く状況が変化すると予想されるケースにおいて選択されることが可能である。単一レイヤの送信は、特定の量、たとえば、事前に規定されたまたは事前に設定されたしきい値よりも少なく状況が変化すると予想される場合に選択されることが可能である。
【０１０５】
変化（たとえば、分散）は、受信機２００における、および／またはチャネル上での変化する干渉状況および／または雑音状況に起因する場合がある。これらの状況は、たとえば隠れノード状況において、送信機１００において測定可能である場合があり、または測定可能ではない場合がある。
【０１０６】
変化は、受信機および／または送信機のうちの少なくとも１つが無線ネットワークにおいて、たとえば、事前に規定されたまたは事前に設定されたしきい値を上回る速度で移動していることに起因する場合がある。
【０１０７】
送信パラメータは、別々のレイヤに関連付けられている別々の出力レベル、または隣り合っている出力レベル間における差を含むことが可能である。レイヤの（たとえば、相対的な）堅牢性は、それぞれに関連付けられている出力レベル（たとえば、それぞれのレイヤに関してステップ３０４において適用される）、変調方式（たとえば、それぞれのレイヤに関してステップ３０２において適用される）、および／またはコーディングスキーム（たとえば、それぞれのレイヤに関してステップ３０２において適用される）によって規定されることが可能である。
【０１０８】
送信パラメータ、たとえば堅牢性は、どれぐらい多く状況が変化するとわかっているか、または予想されるかに基づいて制御されることが可能である。相対的な堅牢性は、別々のレイヤに出力レベルオフセットを適用することによって制御されることが可能である。
【０１０９】
代替として、または追加として、相対的な堅牢性は、別々の堅牢性を伴う誤り訂正コーディングを別々のレイヤに適用することによって制御されることが可能である。誤り訂正コーディングの別々の堅牢性は、別々の符号化率の誤り訂正符号を使用することによって達成されることが可能である。
【０１１０】
堅牢性が最も高いレイヤと、堅牢性が最も低いレイヤとの堅牢性における差は、状況のわかっているまたは予想される変化に関連している場合がある。
【０１１１】
いずれかの実施形態においては、送信されることになるデータの別々の部分は、別々の優先度および／または別々のデータパケットに関連付けられることが可能である。それぞれの優先度またはデータパケットは、データのそれぞれの部分に関して（すなわち、データの前記部分を表すそれぞれの部分的な変調シンボルに関して）使用されることになるレイヤ（すなわち、相対的な出力レベル）を決定することが可能である。代替として、または追加として、データの特定の部分に関してどのレイヤを使用するかは、前記部分が何回再送信されているか（たとえば、データの前記部分を含む対応するデータパケットが何回再送信されているか）に依存することが可能である。
【０１１２】
図５は、送信機１００の一実施形態に関する概略ブロック図を示している。任意選択で、ステップ３０６において送信されることになるデータ５０２は、別々のレイヤ５００に関連付けられているデータの部分５０６へと参照符号５０４において分割されることが可能である。代替として、または追加として、送信機１００におけるプロトコルスタックのさらに高いプロトコルレイヤが、別々の部分５０６を別々に提供することが可能である。たとえば、別々の部分５０６は、別々のデータストリーム、別々のデータパケット、および／または別々のＨＡＲＱエンティティに対応することが可能である。
【０１１３】
情報（すなわち、データ５０２）を送信する際の典型的な手順は、その情報が誤り訂正エンコーダ５０８によって符号化されるということである。結果として生じるコーディングされたビット５１０（またの名はコードワード）は、適切な変調方式５１２（またの名は変調フォーマット）を使用して変調される。誤り訂正コード５０８は、たとえば、バイナリ畳み込み符号（ＢＣＣ）または低密度パリティチェック（ＬＤＰＣ）符号であることが可能である。変調方式５１２に関する例は、位相シフトキーイング（ＰＳＫ）またはＭ−ａｒｙ直交振幅変調（Ｍ−ＱＡＭ）を含むことが可能である。
【０１１４】
図５の実施形態においては、２つ以上のエンコーダ５０８および２つ以上の変調器５１２が並列に、たとえば、１つのエンコーダ５０８および１つの変調器５１２が、それぞれのレイヤ５００に関連付けて使用されている。エンコーダ５０８および変調器５１２は、ステップ３０２を実行する変調モジュール１０２を具体化することが可能である。別々の変調器５１２の出力、すなわち、部分的な変調シンボル５１４が、マッパ５１６によって、ステップ３０４に従って単一のシンボル、すなわち変調シンボル５１８へと組み合わされる。マッパ５１６は、組み合わせモジュール１０４を具体化することが可能である。マッパ５１６は、デジタルドメインにおいて部分的な変調シンボル５１４を足し合わせることが可能であり、または信号コンバイナによって実施されることが可能である。両方の実装形態は、部分的な変調シンボル５１４を組み合わせる際に、関連付けられている出力レベルを、たとえば倍率または利得として、考慮に入れることが可能である。
【０１１５】
図５において示されている送信機１００の一実施形態に関する概略的に示されているブロック図は、多くの点で修正されることが可能である。たとえば、この示されている実施形態においては、３つのレイヤ５００があり、その一方で、この実施形態の変形形態は、４つ以上のレイヤ５００または２つだけのレイヤ５００を含むことが可能である。さらに、図５における実施形態は、それぞれのレイヤ５００に関する別々の処理チェーンを有しているが、この実施形態の変形形態においては、コンポーネント５０８および／または５１２のうちのいくつかが、別々のレイヤ５００の間で共有される。たとえば、いくつかのコンポーネント５０８および／または５１２は、時分割されること、または別々のレイヤに順次に適用することができる。
【０１１６】
非限定的な例として、図５の実施形態におけるそれぞれのレイヤ５００は、ＱＰＳＫを使用して変調され、すなわち、データ５０２のそれぞれの部分５０６は、情報またはデータ５０２の２ビットを含む。それぞれの部分的な変調シンボル５１４を含む３つのＱＰＳＫストリームが、次いでマッパ５１６によって変調シンボル５１８、すなわち、３つのレイヤ５００に関する合計で６ビットの情報へと組み合わされる。
【０１１７】
図１および／または図５を参照しながら送信機１００の一実施形態の特徴が記述されているが、受信機２００の一実施形態は、同じ特徴または対応する特徴を含むことが可能である。
【０１１８】
どのようにして送信機１００の実施形態が機能するかをさらに示すために、（たとえば、３つのレイヤ５００に関する）例示的な変調方式５１２が、図６において示されている。黒色のドットは、複素平面またはコンステレーション平面６００においてシンボルアルファベットを表している。すなわち、それぞれのドットは、データ５０２のそれぞれの部分５０６に応じた部分的な変調シンボル５１４に関するコンステレーション点または候補である。
【０１１９】
図６において示されているすべてのレイヤ５００は、変調方式５１２としてＱＰＳＫを使用しているが、別々のレイヤ５００は、別々の（たとえば、相対的な）出力レベルを割り当てられているか、または別々の（たとえば、相対的な）出力レベルに関連付けられている。インデックスｉ＝１を伴うレイヤ５００は、最も多い出力（すなわち、最大の出力レベル）を割り当てられており、インデックスｉ＝２を伴うレイヤ５００は、２番目に多い出力または２番目に少ない出力を割り当てられており、インデックスｉ＝３を伴うレイヤ５００は、最も少ない量の出力（すなわち、最小の出力レベル）を割り当てられている。図６における変調方式５１２およびシンボルアルファベットに関する例に関連して示されているように、シンボルアルファベットは、関連付けられているレイヤ５００の出力レベルを既に考慮に入れていることが可能であり、それによって、部分的な変調シンボル５１４が組み合わされる際に、さらなる重み付けまたは増減は不要となる。
【０１２０】
３つのレイヤ５００は、次いでステップ３０４において重ね合わせを用いて組み合わされることが可能であり、すなわち、ステップ３０６において最後に送信された変調シンボル５１８の組み合わされたコンステレーション点は、３つのレイヤ５００のそれぞれの部分的な変調シンボル５１４に関するコンステレーション点の合計である。
【０１２１】
図７は、組み合わせステップ３０４の例示的な実装形態を概略的に示している。データ５０２のそれぞれの部分５０６としてｎｉ個のビットをそれぞれが搬送する３つのレイヤｉ＝１、２、および３を組み合わせることによって、２（ｎ１＋ｎ２＋ｎ３）個の可能な変調シンボル５１８のうちの１つがステップ３０４において生成される。
【０１２２】
レイヤｉ＝１の４つの候補が示されており、第１の象限における候補を示す丸は、塗りつぶされておらず、その一方でレイヤｉ＝１のその他の候補は、塗りつぶされている丸によって表されている。このケースにおいては、レイヤｉ＝１によって送信されるのは、すなわち、レイヤｉ＝１の部分的な変調シンボル５１４であるのは、塗りつぶされていない丸によって示されている候補である。類似した様式で、レイヤｉ＝２の４つの候補も、レイヤｉ＝１の塗りつぶされていない点を中心にして集められて（すなわち、そこへシフトされて）示されていて、それぞれのレイヤ５００の部分的な変調シンボル５１４を表すベクトルを足し合わせることによって、最終的に送信されることになる候補が得られるということを示している。また、レイヤｉ＝２に関しては、送信されるのは、すなわち、レイヤｉ＝２の部分的な変調シンボル５１４であるのは、第１の象限における塗りつぶされていない丸によって示されている候補である。レイヤｉ＝３に対応するＱＰＳＫ信号、すなわち、部分的な変調シンボル５１４は、レイヤｉ＝２の（たとえば、以前にシフトされた）部分的な変調シンボル５１４を重心まわりまたは原点にして示されている。レイヤｉ＝３に関しては、それぞれの部分的な変調シンボル５１４のすべての候補が、塗りつぶされている丸によって示されている。
【０１２３】
図７において示されている例を参照すると、レイヤｉ＝１はレイヤｉ＝２よりも堅牢であり、そしてレイヤｉ＝２はレイヤｉ＝３よりも堅牢であるということが容易にわかる。さらに、別々のレイヤ５００に関する相対的な堅牢性は、適切とみなされた際には、たとえば、チャネル状況および／または受信機状況における変化を示すチャネルフィードバックに応答して調整されることが可能であるということを当業者なら理解する。
【０１２４】
一例として、図７をさらに参照すると、レイヤｉ＝２およびレイヤｉ＝３の出力を、レイヤｉ＝１のために使用される出力に比較して非常に小さいままにしておくことによって、結果として生じる信号コンステレーションは、ほとんどＱＰＳＫのように見えるようにされることが可能であり、したがってレイヤ１に関するパフォーマンスは、ＱＰＳＫのパフォーマンスと同様になるであろうが、その一方でレイヤｉ＝２およびレイヤｉ＝３に関するパフォーマンス（たとえば、個々のシンボル誤り率）は、雑音および／または干渉の現在のレベルの影響をかなり受けやすくなるであろうし、たとえば、雑音および／または干渉の現在のレベルに応じてかなり悪くなるであろう。
【０１２５】
逆に、送信機１００は、堅牢性がより低いレイヤｉ＝２およびｉ＝３に関する妥当なパフォーマンスを得るために、（レイヤｉ＝１に関連付けられている最大の出力レベルに比較して）相対的に小さい出力オフセットを適用することが可能である。そのような送信パラメータのケースにおいては、レイヤｉ＝１に関するパフォーマンスは、いくらか低下させられるであろう。
【０１２６】
別々のレイヤ５００の堅牢性の間におけるこのトレードオフは、たとえば、別々のレイヤ５００の部分的な変調シンボルのうちの１つに関して復調のエラーを引き起こすには、どれぐらいの量の誘発された雑音または干渉を要するかを考慮することによって、図７において可視化されることが可能である。
【０１２７】
図８は、リンクパフォーマンス８００の数値シミュレーション、すなわち、それぞれレイヤｉ＝１、レイヤｉ＝２、およびレイヤｉ＝３のそれぞれに関するシンボル誤り率またはブロック誤り率（縦軸上のＢＬＥＲ）、ならびに信号対雑音比（横軸上のＳＮＲ）の関数としての、同じＢＣＣを伴う従来の６４−ＱＡＭに関する対応するパフォーマンス８５０から生じる例示的なグラフ８０２を示している。
【０１２８】
本技術の実施形態によって達成されることが可能である潜在的な利得を理解するために、いくつかのシミュレーションが実行された。図５において示されている送信機として構築されている送信機１００が実装された。誤り訂正符号５０８は、メモリ（またはメモリ順序）が６であり、かつ符号化率が３／４であるＢＣＣであった。別々のレイヤの間における相対的な出力オフセットは、−Ｃ＝６ｄＢに設定された、すなわち、レイヤｉ＝２は、レイヤｉ＝３よりも６ｄＢ強かった、かつレイヤｉ＝１は、レイヤｉ＝２よりも６ｄＢ強かった。結果は、図８において示されている。
【０１２９】
図８を参照すると、たとえば１％のＢＬＥＲにおいては、レイヤｉ＝１は、従来の６４−ＱＡＭよりも約３ｄＢ堅牢であり、レイヤｉ＝２は、わずかに（たとえば、０．２ｄＢ〜０．３ｄＢ）堅牢であり、その一方でレイヤｉ＝３は、約１．５ｄＢ悪いということが観察される。
【０１３０】
図９は、ＳＮＲの関数としてのデータレート（またはスループット）の点で例示的なパフォーマンス９００を示している。より具体的には、図９は、３つのレイヤ５００によってまとめて得られるデータレートの合計９０２に関するグラフを示している。図９はさらに、比較例として、従来の６４−ＱＡＭを使用することによって達成されるデータレートのグラフ９５０を示している。合計のデータレート９０２と、従来のデータレート９５０との比較に基づいて、マルチレイヤ送信３０６または単一レイヤの送信を選択的に実行するための１つまたは２つのしきい値が、すなわち、どちらの送信が、２つの送信モードのうちのさらによいものであるかが決定されることが可能である。
【０１３１】
図９において示されている例においては、１５ｄＢよりも低いＳＮＲに関しては、マルチレイヤ送信が好ましい。ＳＮＲが１５ｄＢと１９ｄＢとの間にある場合には、従来の６４−ＱＡＭを使用すると、よりよいスループット９５０が与えられる。１９ｄＢよりも大きなＳＮＲに関しては、パフォーマンスは同じである。なぜなら、両方の送信モードが、基本的にエラーのない通信を達成したからである。
【０１３２】
図８において示されているパフォーマンスを得るために使用される受信機２００における方法４００の一実装形態は、ステップ４０４およびステップ４０６による逐次干渉除去（ＳＩＣ）、すなわち、それぞれ復調された部分的な変調シンボル５１４の差し引きに基づく。別々のレイヤ５００は、レイヤｉ＝１で開始してレイヤｉ＝２を続ける、といった具合に次々と復号される。
【０１３３】
本技術は、受信機２００におけるＳＩＣを使用して記述されているが、本技術は、受信機２００がＳＩＣに基づく場合だけでなく、よりシンプルなアルゴリズムまたはより複雑なアルゴリズムが使用される場合にも適用可能である。よりシンプルなアルゴリズムの例は、その他のレイヤ５００からのいかなる情報も使用せずに別々のレイヤ５００のそれぞれを復号することを含む。より複雑なアルゴリズムの例は、すべてのレイヤ５００を一緒に復号することを含む。
【０１３４】
たとえば、２つ以上のレイヤ（たとえば、上述の実施形態における３つのレイヤ）が一緒に復調されることが可能である。復調から生じるそれぞれのコードワード（たとえば、ソフトビットまたはハードビット）は、レイヤのそれぞれに関して独立して復号されることが可能である。すなわち、すべてのレイヤに関するハードビットまたはソフトビットは、受信された変調シンボル５１８のサンプルから一緒に得られることが可能である。ハードまたはソフトビットの計算は、受信された変調シンボル５１８のサンプルが、部分的な変調シンボル５１４の重ね合わせであるという事実を使用する。ハードビットを推定する手順は、それぞれのレイヤ５００における送信されるビットを仮定することを含む。それぞれの仮定に基づいて、部分的な変調シンボルの仮定が、それぞれのレイヤ５００に関して変調方式５１２に従って生成され、組み合わされた変調シンボル（すなわち、送信された変調シンボル５１８の仮定）が、（たとえば、マッパ５１６に従って）生成される。（好ましくは、等化、すなわち、チャネルの影響を取り除くことの後の）受信された変調シンボル５１８の受信された信号が、部分的な変調シンボルの仮定された組合せ（すなわち、送信された変調シンボル５１８の仮定）に比較される。ハードビットの決定は、等化された受信された信号に（たとえば、ユークリッド距離において）最も近い組み合わされた変調シンボルを生み出すデータビットの仮定に対応する。ソフトビットの計算は同様であるが、それぞれのデータビットに関して、信頼性値（たとえば、対数尤度）が、たとえば、当技術分野においてよく知られている方法によって算出される。それぞれのレイヤ５００からのハードビットまたはソフトビットが次いで、対応するデコーダへ供給される。デコーディングは、それぞれのレイヤ５００に関して独立して実行される。
【０１３５】
一見すると、複数のレイヤ５００を使用する送信と、固定された単一レイヤの送信との間における比較（図９において提示されている比較のような）は、現実的ではないように見えるかもしれない。なぜなら、単一レイヤの送信を使用する現実的なシステムは、典型的にはリンク適合（ＬＡ）を実行することになり、したがって、ＳＮＲが低い、たとえば、１５ｄＢを下回る場合に従来の６４−ＱＡＭを使用しないことになるからである。しかしながら、単一レイヤの送信に関するＬＡに関連付けられている問題は、ＬＡが、適切に機能するためには、安定したチャネル状況を前提にしているということである。
【０１３６】
図１０は、干渉の変化するレベルを伴うシナリオを示すために、共有電波スペクトルを使用する２つの基本サービスセット（ＢＳＳ）１００１および１００２を含む例示的なＷｉ−Ｆｉ無線環境１０００における本技術の例示的な展開を概略的に示している。
【０１３７】
チャネルアクセスメカニズム（たとえば、ＣＳＭＡ／ＣＡ）は、共有電波スペクトル上での衝突の発生を低減することが可能であるが、チャネルアクセスメカニズムがあまりうまく機能しない多くの状況がある。例示的な状況は、いわゆる隠れノード問題である。なぜなら、送信を開始することを意図されている無線デバイスによって実行されるリッスンビフォアトーク（ＬＢＴ）プロセスは、受信のために意図されている無線デバイスにおける現在の干渉状況の知識を伴わないからである。そのような状況の一例が、図１０において示されている。ＡＰ１とラベル付けされているアクセスポイントが、送信機１００を具体化することが可能であり、送信機１００は、ＢＳＳ１００２に属しているデバイスのうちのいずれのカバレッジエリア内にもなく、したがってＡＰ１は、受信機２００を具体化しているＳＴＡ１１とラベル付けされているステーションへ送信するためのデータ５０２を有している場合には、送信を開始することになる。
【０１３８】
図１０において概略的に示されているように、ＳＴＡ１１は、非常に多様な干渉状況を経験する可能性がある。より具体的には、ＳＴＡ１１における受信機状況は、重なり合っているＢＳＳ１００２においてどのような送信が進行中であるかに大きく依存することになる。ＳＴＡ２２が送信を行っている場合には、これは、ＳＴＡ１１への送信にまったく影響しないと言えるが、その一方でＳＴＡ２１が送信を行っている場合には、ＳＴＡ１１への送信は、正しく受信されない可能性が最も高いと言える。ＡＰ２が送信を行っている場合には、結果は、実際には、どのＳＴＡへＡＰ２が送信を行っているかに依存し得る。たとえば、ＡＰ２がＳＴＡ２２への指向性送信を使用している場合には、ＳＴＡ１１において干渉がほとんど経験されない可能性がある。
【０１３９】
一例として、ＢＳＳ１００１におけるＤＬ送信、すなわち、送信機１００としてのＡＰ１と、受信機２００として方法４００を実行するＳＴＡ１１とによって実行される方法３００による送信について考えていただきたい。受信機２００を具体化しているＳＴＡ１１における経験されるＳＩＮＲは、隣り合っているＢＳＳ１００２におけるアクティビティに下記のように依存し得る。
ＢＳＳ１００２において送信がない場合には、ＳＩＮＲ＝２５ｄＢ
ＳＴＡ２２が送信を行っている場合には、ＳＩＮＲ＝２０ｄＢ
ＡＰ２がＳＴＡ２２への送信を行っている場合には、ＳＩＮＲ＝１５ｄＢ
ＡＰ２がＳＴＡ２１への送信を行っている場合には、ＳＩＮＲ＝１０ｄＢ
ＳＴＡ２１が送信を行っている場合には、ＳＩＮＲ＝１０ｄＢ
【０１４０】
送信機１００を具体化しているＡＰ１が、他方のＢＳＳ１００２におけるアクティビティに関するいかなる情報も有していないと前提すると、ＬＡメカニズムは、単一のレイヤを使用する特定の送信に関する最良のＭＣＳを選択することが不可能であろう。むしろＬＡメカニズムは、最良の平均パフォーマンスを与えるＭＣＳに収斂するであろう。したがって、チャネル状況が良好である場合の高いスループット（高いＭＣＳ）を、パケットをエラーなく受信する高い確率（低いＭＣＳ）と引き換えにしなければならない。
【０１４１】
方法３００および方法４００によるマルチレイヤ通信は、このトレードオフを、たとえば、図９において示されている低いＳＩＮＲのケースにおけるさらに高いスループットの結果として、回避または緩和することが可能である。そのようなケースは、干渉が断続的に発生する（すなわち、予測不能である）場合には、フィードバックベースのＬＡによって対抗されることが不可能である。さらにＬＡは、ＬＡ自体がささいなタスクではなく、上述の論考は、たとえＬＡが理想的であろうとも、マルチレイヤ送信が、より高い合計のスループットを依然として達成することが可能であるということを強調している。マルチレイヤ通信を使用する利得は、現実的なＬＡの実装形態においては、たとえば、チャネルフィードバックによって示される状況と、現在の状況との間におけるタイムラグに起因して、よりいっそう大きくなる可能性がある。タイムラグは、チャネル上での参照信号の可用性、受信機における測定、およびそれらの測定に基づくチャネルフィードバックによって引き起こされる可能性がある。
【０１４２】
本技術の実施形態は、図１０においてはＷｉ−Ｆｉ展開に関して示されているが、同じ実施形態またはさらなる実施形態が、その他の無線アクセステクノロジーを使用する無線ネットワーク１０００にも適用可能である。たとえば、無線ネットワーク１０００は、ＲＡＮカバレッジのエリアを含むことが可能である。無線ネットワーク１０００は、少なくとも１つの基地局を含む固定されたＲＡＮを含むことが可能である。それぞれの基地局は、少なくとも１つのセルにサーブすることが可能である。基地局は、エボルブドＮｏｄｅ  Ｂ（ｅＮｏｄｅＢもしくはｅＮＢ）または次世代Ｎｏｄｅ  Ｂ（ｇＮｏｄｅＢもしくはｇＮＢ）であることが可能である。
【０１４３】
データのユニキャスト送信およびマルチキャスト送信に関しては、指向性無線通信が有益である場合がある。たとえば、デバイス１００からの指向性送信は、デバイス２００におけるデータ受信を改善することが可能である。さらに、デバイス２００における指向性受信は、データ受信を改善することが可能である。代替として、または追加として、デバイス１００からの指向性送信は、データ送信のターゲット無線デバイスではないその他の無線デバイスにおける干渉を低減することが可能である。さらに、デバイス２００における指向性受信は、デバイス２００をターゲットとしていないその他の送信によって引き起こされる干渉を低減することが可能である。指向性送信は、デバイス１００におけるアンテナアレイまたはその他の任意のマルチアンテナ設定を使用して実施されることが可能である。指向性受信は、デバイス２００におけるアンテナアレイまたはその他の任意のマルチアンテナ設定を使用して実施されることが可能である。
【０１４４】
図１１は、１６個のＡＰ１１０２を含む例示的な無線環境１１００における本技術の例示的な展開を概略的に示している。ＡＰ１１０２のそれぞれは、１０個のＳＴＡ１１０４に関連付けられている。ＡＰ１１０２およびＳＴＡ１１０４のいずれのペアも、それぞれ送信機１００および受信機２００を具体化することが可能であり、またはその逆もまた同様である。
【０１４５】
かなりの干渉を伴うそのような展開において経験される可能性がある変化を示すために、１つの特定のリンクまたはチャネル、すなわち、送信機１００および受信機２００の特定のペアが考慮され、個々のパケットに関してサポートされることが可能である最も高いデータレートが決定された。
【０１４６】
図１２は、干渉状況に応じて、送信されているデータパケット間において、最も高いデータレートがどのようにして変化し得るかの一例を示している。（縦軸上のメガビット／秒での）データレートが、（たとえば、横軸上の複数の異なる瞬間に関する）時間の関数としてプロットされている。観察されることが可能であるように、別々のパケットに関する最も高いデータレートは、（バイナリ位相シフトキーイングを使用することに対応する）６ＭＢ／ｓから、（６４−ＱＡＭに対応する）５０ＭＢ／ｓを超えるまでに変化する。最も高いデータレートは、復号可能なレイヤの数を決定するのが受信機２００であるという点で、受信機２００によって決定される。
【０１４７】
図１１における例示的な無線ネットワーク１１００は、Ｗｉ−Ｆｉ展開に関して記述されているが、同様の無線環境は、３ＧＰＰ  ＲＡＮを使用して展開されることが可能である。より具体的には、無線デバイス１１０４は、Ｖ２Ｘ（Ｖｅｈｉｃｌｅ−ｔｏ−Ａｎｙｔｈｉｎｇ）無線通信、特にＶ２Ｖ（Ｖｅｈｉｃｌｅ−ｔｏ−Ｖｅｈｉｃｌｅ）無線通信における３ＧＰＰ  ＵＥを含むことが可能である。
【０１４８】
図１２における例示は、サポートされることが可能である最も高いデータレートにおけるかなりの変化を示している。図１２における結果は、数値シミュレーションに基づいているが、非常に類似した動きが、現場測定において見受けられることもあり、これについては、以降の図において示されている。
【０１４９】
図１３は、ライセンス供与されていない２．４５ＧＨｚ帯域（チャネル１１）における信号、雑音、および干渉を含む測定された出力１３００の一例を示している。すなわち、受信された出力の全体が、受信信号強度インジケータ（ＲＳＳＩ）の点で縦軸上に示されている。取り込まれた信号のサンプルは、ほぼ６０Ｈｚの周期性を伴って変化する干渉下限を示しており、たとえば、電子レンジの出力漏れが２．４５ＧＨｚのライセンス供与されていない帯域チャネルにおいて及ぼす影響を示している。この干渉は、データパケットの長さ、たとえば、ＩＥＥＥ８０２．１１ａｘに従った４ｍｓの長さに関しては相対的に遅いが、変化は、フィードバックベースのＬＡ、たとえば、Ｗｉ−Ｆｉ  ＡＰによって使用される典型的なレート適合アルゴリズム（ＲＡＡ）にとっては速すぎる。
【０１５０】
図１４において示されている例は、ライセンス供与されていない５ＧＨｚ帯域（チャネル１４８）において測定された出力１３００を示している。測定された出力１３００は、企業現場における５ＧＨｚチャネル上での信号プラス干渉および雑音を含む。Ｗｉ−Ｆｉ８０２．１１の送信は、測定された出力１３００において容易に見える。干渉または雑音は、明らかに、一定の出力を伴う加算性白色ガウス雑音（ＡＷＧＮ）ではなく、時間とともに変化する。
【０１５１】
図１５は、図１４の測定された出力１３００を、拡大された時間セクションにおいて（すなわち、横軸上で「ズームインされた」状態で）示している。測定された出力１３００は、数ｄＢの干渉下限の変化を含む。この干渉は、数マイクロ秒の持続時間にわたっていくらか静的であるが、数十マイクロ秒程度の、たとえば、１つの変調シンボル５１８の持続時間程度の値の全範囲にわたって変化する。
【０１５２】
図１２〜図１５における干渉の例は、実施形態が単一レイヤのまたは階層化されていない送信スキームを介してスループット利得を生み出すことが可能である状況を示している。例としてＷｉ−Ｆｉを取り上げると、ＩＥＥＥ８０２．１１ａｘに従ったシンボル持続時間は、典型的には１３．６μｓである（付加されるＣＰに応じて小さな変化を伴う）。フィードバックベースのＬＡは、１ｍｓである可能性があるパケット長さよりも速く応答することが可能ではないが、マルチレイヤ通信は、そのような急速に変化する状況のもとで堅牢であることがある。
【０１５３】
Ｗｉ−Ｆｉネットワークにおいて、たとえば、ライセンス供与されていない２．４５ＧＨｚ帯域において経験される干渉のレベルに関するさらなる例が、図１６および図１７において示されている。図１６におけるプロット１６００は、都市の全域にわたって広がっている２２５個のＷｉ−Ｆｉ  ＡＰ（またの名はアクセスノード）において測定されたサンプリングされた雑音および干渉の下限を示している。午前９時から午後４時までに、１００個の周期的なサンプルが、２２５個のＷｉ−Ｆｉ  ＡＰのそれぞれから取られた。それぞれのＡＰに関して、雑音および干渉の平均値１６０２（真ん中のライン）、雑音および干渉の最小値１６０４（下側のライン）、ならびに雑音および干渉の最大値１６０６（上側のライン）が決定される。より具体的には、図１６においてプロットされている２２５個のＷｉ−Ｆｉ  ＡＰは、雑音および干渉の最も低い平均値１６０２から最も高い平均値１６０２へ順序付けられている。
【０１５４】
観察結果として、Ｗｉ−Ｆｉ  ＡＰは、±１０ｄＢの変化を伴う雑音および干渉を経験した。同じ雑音および干渉データが、翌日に収集された。図１６に関して規定されている２２５個のＷｉ−Ｆｉ  ＡＰに関する順序を使用して、平均値１６０２、最小値１６０４、および最大値１６０６が、図１７において同じ順序でプロットされている。観察結果として、Ｗｉ−Ｆｉ  ＡＰは、ほぼ同じ絶対干渉および変化を経験した。これが意味しているのは、ライセンス供与されていない帯域の干渉は、ロケーションに依存する傾向があるが、絶対干渉レベルにおいて大きな±１０ｄＢの動的な変化を依然として示すということである。
【０１５５】
著しい可変性を伴う干渉レベルを示すそれらのロケーションにおいては、方法３００および方法４００によるマルチレイヤ通信の一実装形態が、著しいパフォーマンス改善を提供することが可能である。その上、スタジアムなどの収容人数の多い会場は、雑音および干渉の同様の変化およびさらにいっそう極度の変化を有し、方法３００および方法４００によるマルチレイヤ通信の一実装形態から大きく恩恵を被ることが可能である。
【０１５６】
たとえば、経験される受信機状況における著しい変化に（潜在的に）苛まれるリンクにマルチレイヤ通信を適用するための上述の実施形態のうちのいずれも、以降の実装形態の特徴のうちのいずれかをさらに含むことが可能である。
【０１５７】
第１の実装形態は、マルチレイヤ送信を選択的に使用することが可能である。既に論じられているように、マルチレイヤ送信を使用することから得られる利得は、（たとえば、大部分は）予測不能に変化するチャネル状況および／または受信機状況（まとめて、状況）から生じる。状況が変化していない場合には、マルチレイヤ送信が依然として使用されることが可能であるが、マルチレイヤ送信は典型的に、適切なＭＣＳが見つかるならば、単一レイヤの送信に比較してパフォーマンスロスをもたらすであろう。
【０１５８】
この特性は、マルチレイヤ通信を選択的に使用することによって利用されることが可能である。第１の実装形態による一例として、ＡＰ１００は、自分の関連付けられているＳＴＡのうちの１つまたは複数のセットに対して同時にマルチレイヤ送信を使用する場合がある。なぜなら、単一レイヤの送信が、関連付けられているＳＴＡのうちの１つまたは複数の別の（たとえば、共通する要素がない）セットのために使用されているからである。
【０１５９】
第１の実装形態の別の例は、個々のリンクまたはチャネルに関する。送信機１００は、変化する状況に基づいて、単一レイヤの送信からマルチレイヤ送信３０６へ（またはその逆へ）変更することを選択することが可能である。その変更は、このケースにおいては、送信機１００によって（たとえば、ＬＡを動作させる際の難しさに基づいて）開始されることが可能であり、またはその変更は、受信機２００によって（たとえば、受信機２００が干渉状況における変化を経験していることに基づいて）開始されることが可能である。
【０１６０】
第１の実装形態のさらなる例はまた、リンクまたはチャネルが、雑音が限られている状態から、干渉が限られている状態へ（またはその逆へ）変化するとみなされることに基づく単一レイヤの送信とマルチレイヤ送信との間における変更をカバーしている。このケースにおいては、単一レイヤの送信は、リンクまたはチャネルが、雑音が限られているとみなされる場合に使用されることが可能であり、その一方でマルチレイヤ送信３０６は、リンクまたはチャネルが、干渉が限られているとみなされる場合に使用されることが可能である。
【０１６１】
第１の実装形態の同じ例またはまたさらなる例は、チャネル変化の割合に基づいて、たとえば、測定されたドップラーシフトに基づいて、単一レイヤの送信またはマルチレイヤ送信を選択することを含む。このケースにおいては、マルチレイヤ送信３０６は、ドップラーシフトが高い、たとえば、特定のしきい値よりも大きいと決定された場合に使用されることが可能であり、その一方で単一レイヤの送信は、ドップラーシフトが、同じしきい値を下回っていると決定された場合に使用される。
【０１６２】
第２の実装形態は、送信パラメータ、たとえばマルチレイヤパラメータを決定することが可能である。マルチレイヤ通信に関しては、別々のレイヤ５００は、それぞれのレイヤ５００の堅牢性を区別および／または規定するために出力レベルの特定のオフセットを与えられる。出力オフセットの選択は、堅牢性が別々のレイヤ５００ごとにどれぐらい異なるかを決定する。たとえば、出力オフセットが大きければ大きいほど、堅牢性における差も大きい。
【０１６３】
１つのチャネル上でのマルチレイヤ通信は、そのチャネルのＳＩＮＲレンジ、および／または受信機状況が変化すると予想されるＳＩＮＲレンジを実質的に広げることを可能にする。したがって、最小の出力レベルおよび最大の出力レベルによって規定されるレンジが状況の変化（たとえば、分散）に依存するように出力オフセットを選択することが望ましい場合がある。
【０１６４】
任意の実施形態および／または第１の実装形態に適用可能な第２の実装形態によれば、出力オフセットは、状況の予想される変化に少なくとも部分的に基づき、たとえば、それによって、チャネル変化が大きいと予想される（たとえば、測定または報告される）場合には、チャネル変化が小さいと予想される（たとえば、測定または報告される）場合に比較して、より大きな出力オフセットが選択される。
【０１６５】
第２の実装形態の一例として、送信機１００の一実施形態と、受信機２００の一実施形態とを含むシステムが、３つのレイヤ５００を使用することが可能である。ＳＩＮＲが約１０ｄＢの範囲内で変化すると送信機１００および受信機２００のうちの少なくとも一方が測定または推定したことに応答して、２つの隣接した（または隣り合っている）レイヤ５００の間における出力オフセットは、５ｄＢに選択されることが可能であり、それによって、堅牢性が最も高いレイヤ５００と、堅牢性が最も低いレイヤ５００との間における出力オフセットは、推定されたチャネル変化に対応する。
【０１６６】
第２の実装形態の同じ例またはさらなる例は、使用されるレイヤ５００の数を適合させる。具体的には、チャネル変化が特定のしきい値（たとえば、ｄＢで規定されている）を上回ると送信機１００および受信機２００のうちの少なくとも一方が測定または推定した場合には、より多くの数のレイヤ５００を使用することがトリガーされることが可能である。
【０１６７】
第３の実装形態は、データの再送信される部分５０６のために、たとえば、再送信されるデータパケットのために使用されることになるレイヤ５００を変更することが可能である。
【０１６８】
好ましくは、マルチレイヤ送信は、別々のロジックストリームをそれぞれ別々の受信機へ送信するためには使用されない。むしろ、本技術は、特定の受信機２００への別々のロジックストリーム５０６をサポートするために有益に適用される。ストリーム５０６は、等しく重要である可能性がある。
【０１６９】
代替として、または追加として、マルチレイヤ通信は、好ましくは、ブロードキャスティング用途のためには使用されず、そのケースにおいては、パケットが正しく受信されない場合に受信機が再送信を要求するためのフィードバックチャネルがない。むしろ、本技術は、それぞれの別々のレイヤ５００上で送信されるデータ５０２の部分５０６が、意図されている受信機２００によって応答される状況に関して有益に適用される。これは、正しく受信されたパケットのケースにおいては肯定応答フィードバック（すなわち、ＡＣＫ）を送信機１００へ送信することによって、および／またはパケットが正しく受信されなかった場合には否定応答フィードバック（すなわち、ＮＡＣＫ）を送信機１００へ送信することによって、行われることが可能である。ＮＡＣＫは、暗黙的であることも可能であり、すなわち、パケットが正しく受信されなかった場合には、ＡＣＫがないことが、ＮＡＣＫとして解釈されることになる。
【０１７０】
任意の実施形態および第１または第２の実装形態と組み合わせ可能である第３の実装形態によれば、再送信スキームが使用される場合に、別々のレイヤに関する別々の堅牢性の特性が利用される。そのような再送信スキームの一例は、シンプルなＡＲＱスキーム、たとえば、ストップアンドウォントＡＲＱ、ゴーバックＮ  ＡＲＱ、またはセレクティブリピートＡＲＱを含む。
【０１７１】
ＡＲＱスキームに関しては、正しく受信されないデータパケットは、要求に応じて、またはタイマーが切れると、再送信される。再送信スキームは、ハイブリッドＡＲＱ（ＨＡＲＱ）スキームであることも可能であり、そのケースにおいては、再送信は、第１のデータパケット送信と必ずしも同じでなくてもよく（むしろ第１のデータパケット送信に対して冗長であってよく）、受信機２００は、情報を抽出するために、２つ以上の受信されたデータパケットを組み合わせる。ＨＡＲＱスキームの例は、チェイスコンバイニングおよび増分冗長性を含む。
【０１７２】
第３の実装形態によれば、再送信されるデータパケットは、はじめて送信されるデータパケットよりも堅牢なレイヤ上で送信される。非限定的な特定の例が、３つのレイヤ５００に関して記述されている。
【０１７３】
送信３０６の第１の場合においては、３つのデータパケット（すなわち、パケット１、パケット２、およびパケット３）が、それぞれのレイヤ５００上で、すなわち、それぞれレイヤ１、レイヤ２、およびレイヤ３上で、はじめて送信される。第１の送信の１つまたは複数の変調シンボル５１８に基づいて、レイヤ１の部分的な変調シンボル５１４は、受信機２００において正しく復号され、その一方でレイヤ２およびレイヤ３の部分的な変調シンボル５１４は、エラーになる。
【０１７４】
送信３０６のその後の（たとえば、次の）場合においては、送信機１００は、受信機２００において以前に正しく受信されていない２つのデータパケットを再送信するためにレイヤ１およびレイヤ２を使用し、その一方でレイヤ３は、新たなデータパケットを送信するために使用される。このケースにおいては、どのデータパケットをレイヤ１およびレイヤ２上で再送信するかの選択は、任意であることが可能である。説明の目的のためにという前提で、送信３０６のこの場合においては、レイヤ１のみが正しく受信されており、その一方でレイヤ２およびレイヤ３は、受信機２００においてエラーになっている。
【０１７５】
送信機１００は今、１つのデータパケットが２回の送信において失敗しており（または１回再送信されており）、１つのデータパケットが１回の送信において失敗しており、かつ受信機２００への送信のための１つの新たなデータパケットがあるという状況に直面している。このケースにおいては、送信機１００は、２回失敗しているデータパケットをレイヤ１上で、１回失敗しているデータパケットをレイヤ２上で、および新たなデータパケットをレイヤ３上で送信する。
【０１７６】
図１８は、デバイス１００の一実施形態に関する概略ブロック図を示している。デバイス１００は、方法３００を実行するための１つまたは複数のプロセッサ１８０４と、プロセッサ１８０４に結合されているメモリ１８０６とを含む。たとえば、メモリ１８０６は、モジュール１０２、１０４、および１０６のうちの少なくとも１つを実施する命令で符号化されることが可能である。
【０１７７】
１つまたは複数のプロセッサ１８０４は、単独で、またはメモリ１８０６など、デバイス１００のその他のコンポーネントとともに送信機機能を提供するように動作可能なマイクロプロセッサ、コントローラ、マイクロコントローラ、中央処理装置、デジタル信号プロセッサ、特定用途向け集積回路、フィールドプログラマブルゲートアレイ、またはその他の任意の適切なコンピューティングデバイス、リソース、またはハードウェア、マイクロコード、および／または符号化されているロジックの組合せのうちの１つまたは複数の組合せであることが可能である。たとえば、１つまたは複数のプロセッサ１８０４は、メモリ１８０６に格納されている命令を実行することが可能である。そのような機能は、本明細書において開示されている利点のうちのいずれかを含む、本明細書において論じられているさまざまな特徴およびステップを提供することを含むことが可能である。「アクションを実行するように動作するデバイス」という表現は、アクションを実行するように設定されているデバイス１００を意味することが可能である。
【０１７８】
図１８において概略的に示されているように、デバイス１００は、たとえば、送信基地局またはＵＥとして機能する送信局１８００によって具体化されることが可能である。送信局デバイス１８００は、たとえば、受信基地局またはＵＥとして機能する１つまたは複数の受信局との無線通信のためにデバイス１００に結合されている無線インターフェース１８０２を含む。
【０１７９】
図１９は、デバイス２００の一実施形態に関する概略ブロック図を示している。デバイス２００は、方法４００を実行するための１つまたは複数のプロセッサ１９０４と、プロセッサ１９０４に結合されているメモリ１９０６とを含む。たとえば、メモリ１９０６は、モジュール２０２、２０４、および２０６のうちの少なくとも１つを実施する命令で符号化されることが可能である。
【０１８０】
１つまたは複数のプロセッサ１９０４は、単独で、またはメモリ１９０６など、デバイス２００のその他のコンポーネントとともに受信機機能を提供するように動作可能なマイクロプロセッサ、コントローラ、マイクロコントローラ、中央処理装置、デジタル信号プロセッサ、特定用途向け集積回路、フィールドプログラマブルゲートアレイ、またはその他の任意の適切なコンピューティングデバイス、リソース、またはハードウェア、マイクロコード、および／または符号化されているロジックの組合せのうちの１つまたは複数の組合せであることが可能である。たとえば、１つまたは複数のプロセッサ１９０４は、メモリ１９０６に格納されている命令を実行することが可能である。そのような機能は、本明細書において開示されている利点のうちのいずれかを含む、本明細書において論じられているさまざまな特徴およびステップを提供することを含むことが可能である。「アクションを実行するように動作するデバイス」という表現は、アクションを実行するように設定されているデバイス２００を意味することが可能である。
【０１８１】
図１９において概略的に示されているように、デバイス２００は、たとえば、受信基地局またはＵＥとして機能する受信デバイス１９００によって具体化されることが可能である。受信デバイス１９００は、たとえば、送信基地局またはＵＥとして機能する１つまたは複数の送信局との無線通信のためにデバイス２００に結合されている無線インターフェース１９０２を含む。
【０１８２】
図２０を参照すると、一実施形態によれば、通信システム２０００が、３ＧＰＰタイプのセルラネットワークなどのテレコミュニケーションネットワーク２０１０を含み、テレコミュニケーションネットワーク２０１０は、無線アクセスネットワークなどのアクセスネットワーク２０１１と、コアネットワーク２０１４とを含む。アクセスネットワーク２０１１は、ＮＢ、ｅＮＢ、ｇＮＢ、またはその他のタイプの無線アクセスポイントなどの複数の基地局２０１２ａ、２０１２ｂ、２０１２ｃを含み、それぞれ、対応するカバレッジエリア２０１３ａ、２０１３ｂ、２０１３ｃを規定している。それぞれの基地局２０１２ａ、２０１２ｂ、２０１２ｃは、有線のまたは無線の接続２０１５を介してコアネットワーク２０１４に接続可能である。カバレッジエリア２０１３ｃに配置されている第１のユーザ機器（ＵＥ）２０９１は、対応する基地局２０１２ｃに無線で接続するように、または対応する基地局２０１２ｃによってページされるように設定されている。カバレッジエリア２０１３ａにおける第２のＵＥ２０９２は、対応する基地局２０１２ａに無線で接続可能である。この例においては複数のＵＥ２０９１、２０９２が示されているが、開示されている実施形態は、単独のＵＥがカバレッジエリアにある状況、または単独のＵＥが、対応する基地局２０１２に接続している状況に等しく適用可能である。
【０１８３】
テレコミュニケーションネットワーク２０１０は、テレコミュニケーションネットワーク２０１０自体がホストコンピュータ２０３０に接続されており、ホストコンピュータ２０３０は、スタンドアロンのサーバ、クラウド実装サーバ、分散サーバのハードウェアおよび／もしくはソフトウェアで、またはサーバファームにおける処理リソースとして具体化されることが可能である。ホストコンピュータ２０３０は、サービスプロバイダの所有もしくは制御のもとにあることが可能であり、またはサービスプロバイダによって、もしくはサービスプロバイダのために運営されることが可能である。テレコミュニケーションネットワーク２０１０とホストコンピュータ２０３０との間における接続２０２１、２０２２は、コアネットワーク２０１４からホストコンピュータ２０３０へ直接延びることが可能であり、または任意選択の中間ネットワーク２０２０を介して延びることが可能である。中間ネットワーク２０２０は、パブリックネットワーク、プライベートネットワーク、またはホストされたネットワークのうちの１つ、またはそれらのうちの複数の組合せであることが可能であり、中間ネットワーク２０２０は、もしもあるならば、バックボーンネットワークまたはインターネットであることが可能であり、詳細には、中間ネットワーク２０２０は、２つ以上のサブネットワーク（図示せず）を含むことが可能である。
【０１８４】
図２０の通信システム２０００は、全体として、接続されているＵＥ２０９１、２０９２のうちの１つとホストコンピュータ２０３０との間における接続性を可能にする。その接続性は、オーバーザトップ（ＯＴＴ）接続２０５０として記述されることが可能である。ホストコンピュータ２０３０および接続されているＵＥ２０９１、２０９２は、アクセスネットワーク２０１１、コアネットワーク２０１４、任意の中間ネットワーク２０２０、および可能なさらなるインフラストラクチャ（図示せず）を媒介として使用して、ＯＴＴ接続２０５０を介してデータおよび／またはシグナリングを通信するように設定されている。ＯＴＴ接続２０５０が通る参加している通信デバイスがアップリンク通信およびダウンリンク通信のルーティングに気づかないという意味で、ＯＴＴ接続２０５０は、トランスペアレントであることが可能である。たとえば、基地局２０１２は、接続されているＵＥ２０９１へ転送される（たとえば、ハンドオーバされる）ことになるホストコンピュータ２０３０から生じるデータを伴う、入ってくるダウンリンク通信の過去のルーティングについて知らされることが可能ではない、または知らされることが必要ではない。同様に、基地局２０１２は、ＵＥ２０９１からホストコンピュータ２０３０へ生じる進行中のアップリンク通信の将来のルーティングに気づく必要はない。
【０１８５】
方法３００および４００がＵＥ２０９１もしくはＵＥ２０９２のうちのいずれか１つおよび／または基地局２０１２のうちのいずれか１つによって実行されるおかげで、ＯＴＴ接続２０５０のパフォーマンスは、たとえば、増大されるスループットおよび／または低減されるレイテンシの点で改善されることが可能である。
【０１８６】
前述のパラグラフにおいて論じられているＵＥ、基地局、およびホストコンピュータの、一実施形態による例示的な実装形態が、ここで図２１を参照しながら記述される。通信システム２１００において、ホストコンピュータ２１１０が、通信システム２１００の別の通信デバイスのインターフェースとの有線のまたは無線の接続をセットアップして保持するように設定されている通信インターフェース２１１６を含むハードウェア２１１５を含む。ホストコンピュータ２１１０はさらに、処理回路２１１８を含み、処理回路２１１８は、ストレージ能力および／または処理能力を有することが可能である。詳細には、処理回路２１１８は、命令を実行するように適合されている１つまたは複数のプログラマブルプロセッサ、特定用途向け集積回路、フィールドプログラマブルゲートアレイ、またはこれらの組合せ（図示せず）を含むことが可能である。ホストコンピュータ２１１０はさらに、ソフトウェア２１１１を含み、ソフトウェア２１１１は、ホストコンピュータ２１１０に格納されるか、またはホストコンピュータ２１１０によってアクセス可能であり、処理回路２１１８によって実行可能である。ソフトウェア２１１１は、ホストアプリケーション２１１２を含む。ホストアプリケーション２１１２は、ＵＥ２１３０とホストコンピュータ２１１０とにおいて終端しているＯＴＴ接続２１５０を介して接続しているＵＥ２１３０などのリモートユーザにサービスを提供するように動作可能であり得る。リモートユーザにサービスを提供する際に、ホストアプリケーション２１１２は、ユーザデータを提供することが可能であり、そのユーザデータは、ＯＴＴ接続２１５０を使用して送信される。ユーザデータは、ステップ２０６において決定されたＵＥ２１３０のロケーションに依存することが可能である。ユーザデータは、ＵＥ２１３０へ配信される補助情報または精密広告（またの名は広告）を含むことが可能である。ロケーションは、ＵＥ２１３０によってホストコンピュータへ、たとえばＯＴＴ接続２１５０を使用して、および／または基地局２１２０によって、たとえば接続２１６０を使用して、報告されることが可能である。
【０１８７】
通信システム２１００はさらに、テレコミュニケーションシステムにおいて提供されていてハードウェア２１２５を含む基地局２１２０を含み、ハードウェア２１２５は、基地局２１２０がホストコンピュータ２１１０と、およびＵＥ２１３０と通信することを可能にする。ハードウェア２１２５は、通信システム２１００の異なる通信デバイスのインターフェースとの有線または無線の接続をセットアップおよび保持するための通信インターフェース２１２６、ならびに基地局２１２０によってサーブされているカバレッジエリア（図２１においては示されていない）に配置されているＵＥ２１３０との少なくとも１つの無線接続２１７０をセットアップおよび保持するための無線インターフェース２１２７を含むことが可能である。通信インターフェース２１２６は、ホストコンピュータ２１１０への接続２１６０を容易にするように設定されることが可能である。接続２１６０は、直接であることが可能であり、または接続２１６０は、テレコミュニケーションシステムのコアネットワーク（図２１においては示されていない）を経由すること、および／もしくはテレコミュニケーションシステムの外部の１つもしくは複数の中間ネットワークを経由することが可能である。示されている実施形態においては、基地局２１２０のハードウェア２１２５はさらに、処理回路２１２８を含み、処理回路２１２８は、命令を実行するように適合されている１つまたは複数のプログラマブルプロセッサ、特定用途向け集積回路、フィールドプログラマブルゲートアレイ、またはこれらの組合せ（図示せず）を含むことが可能である。基地局２１２０はさらに、内部に格納されている、または外部接続を介してアクセス可能なソフトウェア２１２１を有する。
【０１８８】
通信システム２１００はさらに、既に言及されているＵＥ２１３０を含む。ＵＥ２１３０のハードウェア２１３５は、ＵＥ２１３０が現在配置されているカバレッジエリアにサーブしている基地局との無線接続２１７０をセットアップおよび保持するように設定されている無線インターフェース２１３７を含むことが可能である。ＵＥ２１３０のハードウェア２１３５はさらに、処理回路２１３８を含み、処理回路２１３８は、命令を実行するように適合されている１つまたは複数のプログラマブルプロセッサ、特定用途向け集積回路、フィールドプログラマブルゲートアレイ、またはこれらの組合せ（図示せず）を含むことが可能である。ＵＥ２１３０はさらに、ソフトウェア２１３１を含み、ソフトウェア２１３１は、ＵＥ２１３０に格納されているか、またはＵＥ２１３０によってアクセス可能であり、処理回路２１３８によって実行可能である。ソフトウェア２１３１は、クライアントアプリケーション２１３２を含む。クライアントアプリケーション２１３２は、ホストコンピュータ２１１０のサポートを伴って、ＵＥ２１３０を介して人間のまたは人間でないユーザにサービスを提供するように動作可能であり得る。ホストコンピュータ２１１０においては、実行しているホストアプリケーション２１１２が、ＵＥ２１３０とホストコンピュータ２１１０とにおいて終端しているＯＴＴ接続２１５０を介して、実行しているクライアントアプリケーション２１３２と通信することが可能である。ユーザにサービスを提供する際に、クライアントアプリケーション２１３２は、要求データをホストアプリケーション２１１２から受信すること、およびその要求データに応答してユーザデータを提供することが可能である。ＯＴＴ接続２１５０は、要求データおよびユーザデータの両方を転送することが可能である。クライアントアプリケーション２１３２は、自分が提供するユーザデータを生成するためにユーザと対話することが可能である。
【０１８９】
図２１において示されているホストコンピュータ２１１０、基地局２１２０、およびＵＥ２１３０は、それぞれ図２０のホストコンピュータ２０３０、基地局２０１２ａ、２０１２ｂ、２０１２ｃのうちの１つ、およびＵＥ２０９１、２０９２のうちの１つと同じであることが可能であるということに留意されたい。すなわち、これらのエンティティの内部作用は、図２１において示されているとおりであることが可能であり、独立して、周囲のネットワークトポロジは、図２０のネットワークトポロジであることが可能である。
【０１９０】
図２１においては、ＯＴＴ接続２１５０は、あらゆる中間デバイス、およびこれらのデバイスを介したメッセージの正確なルーティングへの明示的な参照を伴わずに、基地局２１２０を介したホストコンピュータ２１１０とユーザ機器２１３０との間における通信を例示するために抽象的に描かれている。ネットワークインフラストラクチャは、ルーティングを決定することが可能であり、ネットワークインフラストラクチャは、そのルーティングをＵＥ２１３０から、またはホストコンピュータ２１１０を運営しているサービスプロバイダから、またはそれらの両方から隠すように設定されることが可能である。ＯＴＴ接続２１５０がアクティブである間に、ネットワークインフラストラクチャは、さらに決定を下すことが可能であり、その決定によって、ネットワークインフラストラクチャは、（たとえば、ネットワークの負荷分散考慮事項または再設定に基づいて）ルーティングを動的に変更する。
【０１９１】
ＵＥ２１３０と基地局２１２０との間における無線接続２１７０は、本開示の全体を通じて記述されている実施形態の教示に従っている。さまざまな実施形態の１つまたは複数は、ＯＴＴ接続２１５０を使用してＵＥ２１３０に提供されるＯＴＴサービスのパフォーマンスを改善し、ＯＴＴ接続２１５０においては、無線接続２１７０が最後のセグメントを形成している。より正確には、これらの実施形態の教示は、レイテンシを低減し、データレートを改善し、それによって、よりよい応答性などの利点を提供することが可能である。
【０１９２】
１つまたは複数の実施形態が改善するデータレート、レイテンシ、およびその他のファクタをモニタする目的のための測定手順が提供されることが可能である。測定結果における変化に応答してホストコンピュータ２１１０とＵＥ２１３０との間におけるＯＴＴ接続２１５０を再設定するための任意選択のネットワーク機能がさらに存在することが可能である。その測定手順、および／またはＯＴＴ接続２１５０を再設定するためのネットワーク機能は、ホストコンピュータ２１１０のソフトウェア２１１１において、またはＵＥ２１３０のソフトウェア２１３１において、またはそれらの両方において実施されることが可能である。実施形態においては、ＯＴＴ接続２１５０が通る通信デバイスにおいて、またはそれらの通信デバイスに関連して、センサ（図示せず）が展開されることが可能であり、センサは、上で例示されているモニタされた量の値を供給すること、またはモニタされた量をソフトウェア２１１１、２１３１が算出もしくは推定することができる元となるその他の物理量の値を供給することによって、測定手順に関与することが可能である。ＯＴＴ接続２１５０の再設定は、メッセージフォーマット、再送信設定、好ましいルーティングなどを含むことが可能であり、再設定は、基地局２１２０に影響を与える必要がなく、その再設定は、基地局２１２０に知られないことまたは知覚できないことが可能である。そのような手順および機能は、当技術分野において知られていて実践されていると言える。特定の実施形態においては、測定は、スループット、伝搬時間、レイテンシなどのホストコンピュータ２１１０の測定を容易にする独自のＵＥシグナリングを含むことが可能である。ソフトウェア２１１１、２１３１がＯＴＴ接続２１５０を使用して、メッセージ、とりわけ空の、または「ダミーの」メッセージが送信されるようにし、その間にソフトウェア２１１１、２１３１が伝搬時間、エラーなどをモニタするという点において、測定が実施されることが可能である。
【０１９３】
図２２は、一実施形態による、通信システムにおいて実施される方法を示すフローチャートである。この通信システムは、ホストコンピュータ、基地局、およびＵＥを含み、これらは、図２０および２１を参照しながら記述されているものであることが可能である。本開示を簡潔にするために、図２２への図面参照のみが、このセクションに含まれることになる。この方法の第１のステップ２２１０において、ホストコンピュータが、ユーザデータを提供する。第１のステップ２２１０の任意選択のサブステップ２２１１において、ホストコンピュータは、ホストアプリケーションを実行することによってユーザデータを提供する。第２のステップ２２２０において、ホストコンピュータは、ユーザデータをＵＥへ搬送する送信を開始する。任意選択の第３のステップ２２３０において、基地局は、本開示の全体を通じて記述されている実施形態の教示に従って、ホストコンピュータが開始した送信において搬送されたユーザデータをＵＥへ送信する。任意選択の第４のステップ２２４０において、ＵＥは、ホストコンピュータによって実行されたホストアプリケーションに関連付けられているクライアントアプリケーションを実行する。
【０１９４】
図２３は、一実施形態による、通信システムにおいて実施される方法を示すフローチャートである。この通信システムは、ホストコンピュータ、基地局、およびＵＥを含み、これらは、図２０および図２１を参照しながら記述されているものであることが可能である。本開示を簡潔にするために、図２３への図面参照のみが、このセクションに含まれることになる。この方法の第１のステップ２３１０において、ホストコンピュータが、ユーザデータを提供する。任意選択のサブステップ（図示せず）において、ホストコンピュータは、ホストアプリケーションを実行することによってユーザデータを提供する。第２のステップ２３２０において、ホストコンピュータは、ユーザデータをＵＥへ搬送する送信を開始する。その送信は、本開示の全体を通じて記述されている実施形態の教示に従って、基地局を介して通ることが可能である。任意選択の第３のステップ２３３０において、ＵＥは、その送信において搬送されたユーザデータを受信する。
【０１９５】
受信機のいずれの実施形態または実装形態も、階層化されたデコーディングアプローチを使用することが可能であり、すなわち、受信機は、堅牢性が最も高いレイヤを復号することを開始することが可能であり、これが成功した場合には、これは、その他のレイヤにとって有益である。なぜなら、第１のレイヤは次いで、残りのレイヤのために、受信された変調シンボルから差し引かれるからである。この手順は次いで、残りのすべてのレイヤのために残余変調シンボルに関して反復的に繰り返される。
【０１９６】
その上、本技術は、コーディングされたシステムとして実施されることが可能である。例として、データパケットは、複数の（たとえば、１０００個程度の）コーディングされた変調シンボルを含むことが可能である。それぞれの変調シンボルは、３つの部分的な変調シンボルの組合せから生じることが可能であり、すなわち、それぞれが３つのレイヤを有する。デコーディングの第１の実装形態は、データパケットのレイヤ１のすべての部分的な変調シンボルを復号し、次いでこれらを差し引き、次のレイヤを続けることを含む。デコーディングの第２の実装形態は、変調シンボルごとに決定を行うことが可能である。データパケットのそれぞれの変調シンボルに関して、レイヤ１の部分的な変調シンボルが、レイヤ２およびレイヤ３のために（残余変調シンボルに基づいて）復調され、復号され、差し引かれる、といった具合であり、後に次の変調シンボルへ続く。第１の実装形態においては、パフォーマンスがよりよくなることが可能であるが、その代償は、より長い遅延である。なぜなら受信機は、レイヤ２を復号することを開始する前に、レイヤ１のすべての１０００個の部分的な変調シンボルについて有効に決定を下さなければならないからである。
【０１９７】
さらに、マルチレイヤ変調パラメータが選択されることが可能である。より堅牢なレイヤ（たとえば、２番目に小さい出力レベルに関連付けられているレイヤ）のパフォーマンスは、さらなるレイヤが追加された場合には、より悪くなる可能性がある。したがって、あまりにも多くのレイヤを使用しないことが重要である場合がある。本技術は、マルチレイヤ変調のパラメータ（特に、レイヤの数）を制御して、たとえば、データ送信の改善された信頼性および／またはスループットをもたらすために実施されることが可能である。
【０１９８】
上述の記述から明らかになっているように、本技術の実施形態は、改善されたスペクトル効率および低減された遅延を、たとえば非常に低度の追加の複雑さで、可能にする。その上、本技術は、送信出力制御（ＴＰＣ）およびビームフォーミングなどのさらなる共存機能と組み合わせて実施されることが可能である。さらに、マルチレイヤ送信は、所与のリンクまたはチャネルに関して選択的に非アクティブ化されることが可能である。代替として、または組み合わせて、（たとえば、ＢＳＳ内の）所与の無線ネットワークにおいて、マルチレイヤ送信は、その他の無線デバイスとの無線通信のためにではなく、無線デバイスのうちの１つまたは複数との無線通信のために選択的に使用されることが可能であり、これは、このマルチレイヤ送信をサポートしていないレガシー無線デバイスにとって完全にトランスペアレントに実施されることが可能である。
【０１９９】
本発明の多くの利点が、前述の記述から十分に理解されるであろうし、本発明の範囲から逸脱することなく、および／または本発明の利点のすべてを犠牲にすることなく、ユニットおよびデバイスの形態、構造、およびアレンジにおいてさまざまな変更が行われることが可能であるということは明らかであろう。本発明は、多くの点で変更されることが可能であるので、本発明は、添付の特許請求の範囲の範疇によってのみ限定されるべきであるということが認識されるであろう。
【図１】
2021520716.tif 000003
【図２】
2021520716.tif 000004
【図３】
2021520716.tif 000005
【図４】
2021520716.tif 000006
【図５】
2021520716.tif 000007
【図６】
2021520716.tif 000008
【図７】
2021520716.tif 000009
【図８】
2021520716.tif 000010
【図９】
2021520716.tif 000011
【図１０】
2021520716.tif 000012
【図１１】
2021520716.tif 000013
【図１２】
2021520716.tif 000014
【図１３】
2021520716.tif 000015
【図１４】
2021520716.tif 000016
【図１５】
2021520716.tif 000017
【図１６】
2021520716.tif 000018
【図１７】
2021520716.tif 000019
【図１８】
2021520716.tif 000020
【図１９】
2021520716.tif 000021
【図２０】
2021520716.tif 000022
【図２１】
2021520716.tif 000023
【図２２】
2021520716.tif 000024
【図２３】
2021520716.tif 000025
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
データ（５０２）を無線送信する方法（３００）であって、
少なくとも２つの部分的な変調シンボル（５１４）によって、受信機へ送信されることになるデータ（５０２）を表すステップ（３０２）であって、部分的な変調シンボル（５１４）が各々、前記受信機への前記無線送信の別々のレイヤ（５００）に関連付けられている、データ（５０２）を表すステップ（３０２）と、
前記関連付けられているレイヤに従って別々の出力レベルで前記少なくとも２つの部分的な変調シンボル（５１４）を組み合わせること（５１６）によって変調シンボル（５１８）を生成するステップ（３０４）と、
前記変調シンボル（５１８）を前記受信機へ送信するステップ（３０６）とを含む、または開始する、方法（３００）。
【請求項２】
前記少なくとも２つの部分的な変調シンボル（５１４）、または前記それぞれの少なくとも２つの部分的な変調シンボル（５１４）によって表されている前記データの前記少なくとも２つの部分（５０６）が非冗長である、請求項１に記載の方法。
【請求項３】
前記レイヤ（５００）の数、変調方式（５１２）、および符号化すること（５０８）のうちの少なくとも１つが、前記受信機への前記無線送信（３０６）に関するチャネル状況に依存する、請求項１または２に記載の方法。
【請求項４】
前記無線送信（３０６）が、雑音および干渉のうちの少なくとも１つにさらされているチャネルを使用し、
前記雑音および前記干渉のうちの少なくとも１つの出力が、前記変調シンボルの持続時間にわたって複数の異なる出力レベルのうちの最小の出力レベル以上変化する、
前記雑音および前記干渉のうちの少なくとも１つの出力が、前記受信機において前記チャネルを測定するために、ならびに適応符号化および／または変調のために前記受信機から前記測定に基づくチャネルフィードバックを受信するために必要とされる時間間隔内で複数の異なる出力レベルのうちの最小の出力レベル以上変化する、または
前記データがデータパケットに属し、後に送信されるデータパケット間における時間間隔内で前記雑音および前記干渉のうちの少なくとも１つの出力が複数の異なる出力レベルのうちの最小の出力レベル以上変化する、請求項１から３のいずれか一項に記載の方法。
【請求項５】
前記送信された変調シンボル（５１８）に基づいて、復号に成功した部分的な変調シンボル（５１４）の数を示す肯定応答フィードバックを受信することであって、前記数が、最も高い出力レベルの前記部分的な変調シンボル（５１４）から開始して、出力レベルの降順に、前記復号に成功した部分的な変調シンボル（５１４）のうちの最小の出力レベルの前記部分的な変調シンボル（５１４）までカウントされている、肯定応答フィードバックを受信すること
をさらに含む、または開始する、請求項１から４のいずれか一項に記載の方法。
【請求項６】
第２の部分的な変調シンボル（５１４）よりも大きな出力レベルで送信される第１の部分的な変調シンボル（５１４）が、前記第２の部分的な変調シンボル（５１４）によって表されている前記データ（５０２）の第２の部分（５０６）よりも高い優先度またはサービス品質（ＱｏＳ）に関連付けられている前記データ（５０２）の第１の部分（５０６）を表す、請求項１から５のいずれか一項に記載の方法。
【請求項７】
前記以前に送信された（３０６）変調シンボル（５１８）によって表されている前記データ（５０２）の部分（５０６）の再送信を含むさらなる変調シンボルを送信するステップであって、前記再送信される部分（５０６）が、前記以前に送信された（３０６）変調シンボル（５１８）における前記データ（５０２）の前記再送信される部分（５０６）を表す前記部分的な変調シンボル（５１４）よりも大きな出力レベルを有する前記さらなる変調シンボルにおける部分的な変調シンボルによって表されている、さらなる変調シンボルを送信するステップ
をさらに含む、または開始する、請求項１から６のいずれか一項に記載の方法。
【請求項８】
データ（５０２）を無線受信する方法（４００）であって、
別々の出力レベルでの少なくとも２つの部分的な変調シンボル（５１４）の組合せである変調シンボル（５１８）を受信するステップ（４０２）と、
前記受信された変調シンボル（５１８）に基づいて、部分的な変調シンボル（５１４）を復調し（４０４）、前記復調された部分的な変調シンボル（５１４）を前記受信された変調シンボル（５１８）から差し引いて、残余変調シンボルを得るステップと、
前記データ（５０２）を表す前記少なくとも２つの部分的な変調シンボルを復調する（４０４）ために前記残余変調シンボルに基づいて前記復調を繰り返すステップ（４０６）とを含む、方法（４００）。
【請求項９】
前記復調された部分的な変調シンボル（５１４）の前記復調（４０４）またはデコーディングが失敗するまで、出力レベルの降順で前記復調（４０４）が繰り返される、請求項８に記載の方法。
【請求項１０】
前記部分的な変調シンボル（５１４）のうちの少なくとも２つが、別々の出力レベルで適用される同じ変調方式（５１２）に対応する、請求項８または９に記載の方法。
【請求項１１】
前記受信された変調シンボル（５１８）の送信機へ肯定応答フィードバックを送信するステップであって、前記肯定応答フィードバックが、前記受信された変調シンボル（５１８）に基づいて、復号に成功した部分的な変調シンボル（５１４）の数を示し、前記数が、最も高い出力レベルの前記部分的な変調シンボル（５１４）から開始して、出力レベルの降順に、前記復号に成功した部分的な変調シンボル（５１４）のうちの最小の出力レベルの前記部分的な変調シンボル（５１４）までカウントされている、肯定応答フィードバックを送信するステップ
をさらに含む、または開始する、請求項８から１０のいずれか一項に記載の方法。
【請求項１２】
請求項１から７のいずれか一項に記載のステップ、またはそれらに対応するステップをさらに含む、または開始する、請求項８から１１のいずれか一項に記載の方法。
【請求項１３】
プログラムコード部分を含むコンピュータプログラム製品であって、前記プログラムコード部分が、１つまたは複数のコンピューティングデバイス（１８０４、１９０４）上で前記コンピュータプログラム製品が実行されたときに請求項１から１２のいずれか一項に記載のステップを実行するためのものであり、前記コンピュータプログラム製品が、コンピュータ可読記録メディア（１８０６、１９０６）上に任意選択で格納される、コンピュータプログラム製品。
【請求項１４】
データ（５０２）を無線送信するためのデバイス（１００）であって、少なくとも１つのプロセッサ（１８０４）およびメモリ（１８０６）を含み、前記メモリ（１８０６）が、前記少なくとも１つのプロセッサ（１８０４）によって実行可能な命令を含み、前記命令によって前記デバイス（１００）が、
少なくとも２つの部分的な変調シンボル（５１４）によって、受信機へ送信されることになるデータ（５０２）を表すことであって、部分的な変調シンボル（５１４）が各々、前記受信機への前記無線送信の別々のレイヤ（５００）に関連付けられている、データ（５０２）を表すことと、
前記関連付けられているレイヤに従って別々の出力レベルで前記少なくとも２つの部分的な変調シンボル（５１４）を組み合わせること（５１６）によって変調シンボル（５１８）を生成することと、
前記変調シンボル（５１８）を前記受信機へ送信することとを行うように動作するデバイス（１００）。
【請求項１５】
請求項１から７のいずれか一項に記載のステップを実行するようにさらに動作する、請求項１４に記載のデバイス（１００）。
【請求項１６】
データ（５０２）を無線受信するためのデバイス（２００）であって、少なくとも１つのプロセッサ（１９０４）およびメモリ（１９０６）を含み、前記メモリ（１９０６）が、前記少なくとも１つのプロセッサ（１９０４）によって実行可能な命令を含み、前記命令によって前記デバイス（２００）が、
別々の出力レベルでの少なくとも２つの部分的な変調シンボル（５１４）の組合せである変調シンボル（５１８）を受信することと、
前記受信された変調シンボル（５１８）に基づいて、部分的な変調シンボル（５１４）を復調し、前記復調された部分的な変調シンボル（５１４）を前記受信された変調シンボル（５１８）から差し引いて、残余変調シンボルを得ることと、
前記データ（５０２）を表す前記少なくとも２つの部分的な変調シンボルを復調するために前記残余変調シンボルに基づいて前記復調を繰り返すこととを行うように動作するデバイス（２００）。
【請求項１７】
請求項８から１２のいずれか一項に記載のステップを実行するようにさらに動作する、請求項１６に記載のデバイス（２００）。
【請求項１８】
ユーザ機器（ＵＥ）と通信するように設定されている基地局（１００、２００、２０１２、２１２０）であって、請求項１から７または８から１２のいずれか一項に記載のステップを実行するように設定されている無線インターフェースおよび処理回路を含む基地局（１００、２００、２０１２、２１２０）。
【請求項１９】
ゲートウェイとして機能する基地局（１００、２００、２０１２、２１２０）または無線デバイスと通信するように設定されているユーザ機器（ＵＥ）（１００、２００、１８００、１９００、２０９１、２０９２、２１３０）であって、請求項１から７または８から１２のいずれか一項に記載のステップを実行するように設定されている無線インターフェース（１８０２、１９０２、２１２７、２１３７）および処理回路（１８０４、１９０４、２１３８）を含むＵＥ（１００、２００、１８００、１９００、２０９１、２０９２、２１３０）。
【請求項２０】
ユーザデータを提供するように設定されている処理回路（２１１８）と、
ユーザ機器（ＵＥ）（１００、２００、１８００、１９００、２０９１、２０９２、２１３０）への送信のためにユーザデータをセルラまたはアドホック無線ネットワーク（１０００、１１００、２１２０）へ転送するように設定されている通信インターフェース（２１１６）であって、前記ＵＥ（１００、２００、１８００、１９００、２０９１、２０９２、２１３０）が、無線インターフェース（１８０２、１９０２、２１３７）および処理回路（１８０４、１９０４、２１３８）を含み、前記ＵＥ（１００、２００、１８００、１９００、２０９１、２０９２、２１３０）の前記処理回路（１８０４、１９０４、２１３８）が、請求項１から７または８から１２のいずれか一項に記載のステップを実行するように設定されている、通信インターフェース（２１１６）と
を含むホストコンピュータ（２０３０、２１１０）を含む通信システム（２０００、２１００）。
【国際調査報告】
2021520716.tif 000026
2021520716.tif 000027
2021520716.tif 000028